(57)【要約】【課題】複数の撮影画像をグループ化する際の使い勝手やグループ化した撮影画像の撮影位置を地図上に表示させる際の視認性を大幅に向上させることを可能とする撮影画像管理装置、撮影画像管理方法、撮影画像管理プログラムの提供。【解決手段】撮影位置と関連付けて記憶された撮影画像を撮影順に読み出し、画像ファイルアドレス、緯度、経度をテーブル９０の画像ポインタ欄９１、緯度欄９２、経度欄９３に記憶する。また、テーブル９０に記憶された緯度及び経度を基に直前の画像との距離を順次算出し、距離欄９４に記憶する。次に、距離欄９４に記憶されている距離が閾値以上か否かを順次調べ、閾値以上の距離の画像を別グループとしてグループ分けする。更に、各グループの先頭画像の撮影位置に対応する場所名ファイル６３０内の場所名６３２をそのグループのフォルダ名６１１（グループ名）として決定する。【選択図】  図７
2005094810.tif 000002
【特許請求の範囲】
【請求項１】
撮影画像データ及び撮影位置データを関連付けて複数記憶する撮影画像記憶手段と、
前記撮影画像記憶手段に記憶されている複数の撮影画像データをグループ化するグループ化手段と、
前記グループ化手段によりグループ化された複数の撮影画像データと関連付けて前記撮影画像記憶手段に記憶されている各撮影位置データのうちの少なくとも１つの撮影位置データに基づき、当該グループのグループ名を決定するグループ名決定手段と、
を備えたことを特徴とする撮影画像管理装置。
【請求項２】
被写体を撮像し撮影画像データを出力する撮像手段と、
この撮像手段から出力される撮影画像データの撮影位置を取得する撮影位置取得手段とを備え、
前記撮影画像記憶手段は、前記撮像手段から出力された撮影画像データ及び前記撮影位置取得手段により取得された撮影位置データを関連付けて記憶することを特徴とする請求項１記載の撮影画像管理装置。
【請求項３】
前記グループ名決定手段により決定されたグループ名を表示手段に表示するグループ名表示制御手段を備えることを特徴とする請求項１又は２記載の撮影画像管理装置。
【請求項４】
前記グループ名決定手段により決定されたグループ名を当該グループに含まれている複数の撮影画像データに関連付けて前記撮影画像記憶手段に記憶する記憶制御手段を備えることを特徴とする請求項１乃至３のいずれか１項に記載の撮影画像管理装置。
【請求項５】
前記記憶制御手段は前記グループ名をフォルダ名として前記撮影画像記憶手段に記憶する手段であることを特徴とする請求項４記載の撮影画像管理装置。
【請求項６】
位置データ及び名称データを関連付けて複数記憶する名称記憶手段を備え、
前記グループ名決定手段は、前記グループ化手段によりグループ化された複数の撮影画像データと関連付けて前記撮影画像記憶手段に記憶されている各撮影位置データのうちの少なくとも１つの撮影位置データと、前記名称記憶手段に記憶されている位置データとに基づき、前記名称記憶手段に記憶されている名称データを特定し当該グループのグループ名として決定することを特徴とする請求項１乃至５のいずれか1項に記載の撮影画像管理装置。
【請求項７】
前記名称記憶手段は、エリアデータ及び名称データを関連付けて複数記憶する手段であり、
前記グループ名決定手段は、前記グループ化手段によりグループ化された複数の撮影画像データと関連付けて前記撮影画像記憶手段に記憶されている複数の撮影位置データと、前記名称記憶手段に記憶されているエリアデータとに基づき、前記名称記憶手段に記憶されている名称データを特定し当該グループのグループ名として決定することを特徴とする請求項６記載の撮影画像管理装置。
【請求項８】
前記撮影画像記憶手段に撮影画像データと関連付けて記憶されている撮影位置データと、前記名称記憶手段に記憶されている位置データとに基づき、前記名称記憶手段に記憶されている名称データを特定し当該撮影画像データの画像ファイル名として決定するファイル名決定手段を備えることを特徴とする請求項６又は７記載の撮影画像管理装置。
【請求項９】
前記撮影画像記憶手段は、前記撮影位置データ及び撮影画像データを撮影日時データと関連付けて記憶し、
前記グループ名決定手段は、前記グループ化手段によりグループ化された複数の撮影画像データのうち該撮影画像データと関連付けて記憶されている撮影日時データが最も早い撮影画像データに関連付けて記憶されている撮影位置データに基づき、当該グループのグループ名を決定することを特徴とする請求項１乃至６のいずれか１項に記載の撮影画像管理装置。
【請求項１０】
前記グループ名決定手段は、前記グループ化手段によりグループ化された複数の撮影画像データと関連付けて記憶されている複数の撮影位置データに基づき、当該グループのグループ名を決定することを特徴とする請求項１乃至６のいずれか１項に記載の撮影画像管理装置。
【請求項１１】
前記グループ名決定手段は、前記グループ化手段によりグループ化された複数の撮影画像データと関連付けて記憶されている複数の撮影位置データを平均化することにより得られる平均撮影位置データに基づき、当該グループのグループ名を決定することを特徴とする請求項１０記載の撮影画像管理装置。
【請求項１２】
エリアデータ及び名称データを関連付けて複数記憶する名称記憶手段を備え、前記グループ化手段は、前記名称記憶手段に記憶されているエリアデータにより特定されるエリア内に含まれている複数の撮影位置データと関連付けて前記撮影画像記憶手段に記憶されている複数の撮影画像データをグループ化することを特徴とする請求項１乃至１１のいずれか１項に記載の撮影画像管理装置。
【請求項１３】
前記グループ名決定手段は、前記グループ化手段でグループ化する際に利用されたエリアデータと関連付けて前記名称記憶手段に記憶されている名称データを当該グループのグループ名として決定することを特徴とする請求項１２記載の撮影画像管理装置。
【請求項１４】
前記グループ化手段は、前記撮影画像記憶手段に撮影画像データと関連付けて記憶される各撮影位置データ間の距離が所定距離以上であるか否かの判断基準に基づいて、前記複数の撮影画像データを自動的にグループ化することを特徴とする請求項１乃至１１のいずれか１項に記載の撮影画像管理装置。
【請求項１５】
前記各撮影位置データ間の距離の分布状態に基づいて前記所定距離を決定する距離決定手段を備えることを特徴とする請求項１４記載の撮影画像管理装置。
【請求項１６】
前記撮影画像記憶手段に記憶されている複数の撮影画像データの中から任意の撮影画像データを複数選択する撮影画像選択手段を備え、
前記グループ化手段は、前記撮影画像選択手段により選択された複数の撮影画像データをグループ化することを特徴とする請求項１乃至１１のいずれか１項に記載の撮影画像管理装置。
【請求項１７】
地図を記憶する地図記憶手段と、
この地図記憶手段に記憶されている地図を表示手段に表示する地図表示制御手段とを備え、
前記撮影画像選択手段は、前記地図表示制御手段により前記表示手段に表示されている地図上の所望範囲を手動指定可能な範囲指定手段を含み、
前記グループ化手段は、前記範囲指定手段により指定された地図範囲に含まれている複数の撮影位置データに関連付けて前記撮影画像記憶手段に記憶されている複数の撮像画像データをグループ化することを特徴とする請求項１６記載の撮影画像管理装置。
【請求項１８】
前記撮影画像記憶手段に記憶されている撮影位置データにより特定される前記地図上の位置に、撮影位置を示すシンボルを表示するシンボル表示制御手段を備えることを特徴とする請求項１７記載の撮影画像管理装置。
【請求項１９】
地図を記憶する地図記憶手段と、
この地図記憶手段に記憶されている地図を表示手段に表示する地図表示制御手段と、
複数の撮影画像データ及び撮影位置データをグループ化して記憶する撮影画像記憶手段と、
この撮影画像記憶手段に記憶されている同一グループ内の複数の撮影位置データのうちの少なくとも１つの撮影位置データに基づき決定した前記地図上の位置にシンボルを表示するシンボル表示制御手段と、
を備えたことを特徴とする撮影画像管理装置。
【請求項２０】
前記撮影画像記憶手段は、前記撮影位置データ及び撮影画像データを撮影日時データと関連付けて記憶し、
前記シンボル表示制御手段は、同一グループ内の複数の撮影画像データのうち該撮影画像データと関連付けて記憶されている撮影日時データが最も早い撮影画像データに関連付けて記憶されている撮影位置データに基づき決定した前記地図上の位置にシンボルを表示することを特徴とする請求項１９記載の撮影画像管理装置。
【請求項２１】
前記シンボル表示制御手段は、同一グループ内の複数の撮影画像データと関連付けて記憶されている複数の撮影位置データを平均化することにより得られる平均撮影位置データに基づき決定した前記地図上の位置にシンボルを表示することを特徴とする請求項１９記載の撮影画像管理装置。
【請求項２２】
同一グループ内の複数の撮影画像データと関連付けて前記撮影画像記憶手段に記憶されている各撮影位置データのうちの少なくとも１つの撮影位置データに基づき、当該グループのグループ名を決定するグループ名決定手段を備え、
前記シンボル表示制御手段は、前記グループ名決定手段により決定されたグループ名を前記シンボルと共に地図上に表示する手段を含むことを特徴とする請求項１９乃至２１のいずれか１項に記載の撮影画像管理装置。
【請求項２３】
前記シンボル表示制御手段により地図上に表示されているシンボルの中から所望のシンボルを選択するシンボル選択手段を備え、
前記シンボル表示制御手段は、前記シンボル選択手段により選択されたシンボルに対応するグループに含まれている各撮影画像データと関連付けて前記撮影画像記憶手段に記憶されている各撮影位置データにより特定される前記地図上の複数の位置にシンボルを表示する手段を含むことを特徴とする請求項１９乃至２２のいずれか１項に記載の撮影画像管理装置。
【請求項２４】
地図を記憶する地図記憶手段と、
この地図記憶手段に記憶されている地図を表示手段に表示する地図表示制御手段と、
複数の撮影画像データ及び撮影位置データを複数のグループにグループ分けして記憶する撮影画像記憶手段と、
前記撮影画像記憶手段に記憶されている撮影位置データにより特定される前記地図上の位置にシンボルを表示する場合、前記複数のグループのうちのいずれか１つのグループに含まれる複数の撮影画像データと関連付けて前記撮影画像記憶手段に記憶されている各撮影位置データにより特定される前記地図上の複数の位置にシンボルを表示するシンボル表示制御手段と、
を備えたことを特徴とする撮影画像管理装置。
【請求項２５】
グループ化された複数の撮影画像データと関連付けて前記撮影画像記憶手段に記憶されている各撮影位置データのうちの少なくとも１つの撮影位置データに基づき、当該グループのグループ名を決定するグループ名決定手段を備え、
前記シンボル表示制御手段は、前記グループ名決定手段により決定されたグループ名を前記複数のシンボルと共に地図上に表示する手段を含むことを特徴とする請求項２４記載の撮影画像管理装置。
【請求項２６】
地図を記憶する地図記憶手段と、
この地図記憶手段に記憶されている地図を表示手段に表示する地図表示制御手段と、
撮影画像データ及び撮影位置データを関連付けて複数記憶する撮影画像記憶手段と、
この撮影画像記憶手段に記憶されている撮影位置データにより特定される前記地図上の位置にシンボルを表示するシンボル表示制御手段と、
前記地図表示制御手段により前記表示手段に表示されている地図上の所望範囲を手動指定可能な範囲指定手段と、
この範囲指定手段により指定された地図範囲に含まれている複数のシンボルに対応する複数の撮影位置データに関連付けて前記撮影画像記憶手段に記憶されている複数の撮影画像データをグループ化するグループ化手段と、
を備えたことを特徴とする撮影画像管理装置。
【請求項２７】
複数の撮影画像データをグループ化するステップと、前記グループ化した複数の撮影画像データ各々の撮影位置のうちの少なくとも１つの撮影位置に基づき、当該グループのグループ名を決定するステップと、からなることを特徴とする撮影画像管理方法。
【請求項２８】
複数の撮影画像データ及び撮影位置データをグループ化してメモリに記憶するステップと、地図を表示部に表示するステップと、前記メモリに記憶されている同一グループ内の複数の撮影位置データのうちの少なくとも１つの撮影位置データに基づき決定した前記地図上の位置にシンボルを表示するステップと、からなることを特徴とする撮影画像管理方法。
【請求項２９】
複数の撮影画像データ及び撮影位置データを複数のグループにグループ分けしてメモリに記憶するステップと、地図を表示部に表示するステップと、前記メモリに記憶されている撮影位置データにより特定される前記地図上の位置にシンボルを表示する場合、前記複数のグループのうちのいずれか１つのグループに含まれる複数の撮影画像データと関連付けて前記メモリに記憶されている各撮影位置データにより特定される前記地図上の複数の位置にシンボルを表示するステップと、からなることを特徴とする撮影画像管理方法。
【請求項３０】
撮影画像データ及び撮影位置データを関連付けて複数メモリに記憶するステップと、地図を表示部に表示するステップと、前記メモリに記憶されている撮影位置データにより特定される前記地図上の位置にシンボルを表示するステップと、前記表示部に表示されている地図上の所望範囲を手動指定するステップと、手動指定された地図範囲に含まれている複数のシンボルに対応する複数の撮影位置データに関連付けて前記メモリに記憶されている複数の撮影画像データをグループ化するステップと、からなることを特徴とする撮影画像管理方法。
【請求項３１】
複数の撮影画像データをグループ化するステップと、前記グループ化した複数の撮影画像データ各々の撮影位置のうちの少なくとも１つの撮影位置に基づき、当該グループのグループ名を決定するステップとを撮影画像管理装置に対して実行可能とすることを特徴とする撮影画像管理プログラム。
【請求項３２】
複数の撮影画像データ及び撮影位置データをグループ化してメモリに記憶するステップと、地図を表示部に表示するステップと、前記メモリに記憶されている同一グループ内の複数の撮影位置データのうちの少なくとも１つの撮影位置データに基づき決定した前記地図上の位置にシンボルを表示するステップとを撮影画像管理装置に対して実行可能とすることを特徴とする撮影画像管理プログラム。
【請求項３３】
複数の撮影画像データ及び撮影位置データを複数のグループにグループ分けしてメモリに記憶するステップと、地図を表示部に表示するステップと、前記メモリに記憶されている撮影位置データにより特定される前記地図上の位置にシンボルを表示する場合、前記複数のグループのうちのいずれか１つのグループに含まれる複数の撮影画像データと関連付けて前記メモリに記憶されている各撮影位置データにより特定される前記地図上の複数の位置にシンボルを表示するステップとを撮影画像管理装置に対して実行可能とすることを特徴とする撮影画像管理プログラム。
【請求項３４】
撮影画像データ及び撮影位置データを関連付けて複数メモリに記憶するステップと、地図を表示部に表示するステップと、前記メモリに記憶されている撮影位置データにより特定される前記地図上の位置にシンボルを表示するステップと、前記表示部に表示されている地図上の所望範囲を手動指定するステップと、手動指定された地図範囲に含まれている複数のシンボルに対応する複数の撮影位置データに関連付けて前記メモリに記憶されている複数の撮像画像データをグループ化するステップとを撮影画像管理装置に対して実行可能とすることを特徴とする撮影画像管理プログラム。
【発明の詳細な説明】
【技術分野】
【０００１】
本発明は、撮影画像をグループ管理することが可能な撮影画像管理装置、撮影画像管理方法及び撮影画像管理プログラムに関し、特に、撮影画像を撮影位置に基づいたグループ別に管理する撮影画像管理装置、撮影画像管理方法及び撮影画像管理プログラムに関する。
【背景技術】
【０００２】
デジタルカメラの中にはメモリに保存記憶している複数の撮影画像データをフォルダ管理するものがあり、複数の撮影画像データを、ユーザの手動選択操作によってフォルダ分け（分類）したり、撮影日時によって自動的にフォルダ分けする技術が知られている。
また、地図上に撮影位置を示すシンボルを表示し、このシンボルを選択すると、その撮影位置で撮影された撮影画像を読み出して表示する技術が知られている。
【発明の開示】
【発明が解決しようとする課題】
【０００３】
しかしながら、撮影画像を「撮影場所」別にフォルダ分け（グループ分け）したい場合、先ず、所定の撮影場所用のフォルダを作成し、次に、撮影画像を１枚１枚再生して内容を確認し、所定の撮影場所用のフォルダに入れたい撮影画像を選択して所定の撮影場所用のフォルダに格納するといった手順が必要となり、非常に手間がかかっていた。
【０００４】
特に、所定の撮影場所に適合するフォルダ名（グループ名）を考え、それを１文字づつ入力する作業はユーザーにとって非常に煩雑なものとなっていた。
また、地図上に撮影位置を示すシンボルを表示させる場合、多くの撮影場所が隣接しているとシンボルが密集して表示されてしまうことになり、結果として、視認性が悪化してしまったり、所望のシンボルの選択が困難になってしまうという問題があった。
【０００５】
本発明は、複数の撮影画像をグループ化する際の使い勝手やグループ化した撮影画像の撮影位置を地図上に表示させる際の視認性を大幅に向上させることを可能とする撮影画像管理装置、撮影画像管理方法及び撮影画像管理プログラムの提供を目的とする。
【課題を解決するための手段】
【０００６】
上記課題を解決するために、第１の発明の撮影画像管理装置は、撮影画像データ及び撮影位置データを関連付けて複数記憶する撮影画像記憶手段と、撮影画像記憶手段に記憶されている複数の撮影画像データをグループ化するグループ化手段と、グループ化手段によりグループ化された複数の撮影画像データと関連付けて撮影画像記憶手段に記憶されている各撮影位置データのうちの少なくとも１つの撮影位置データに基づき、当該グループのグループ名を決定するグループ名決定手段と、を備えたことを特徴とする。
【０００７】
また、第２の発明は上記第１の発明の撮影画像管理装置において、被写体を撮像し撮影画像データを出力する撮像手段と、この撮像手段から出力される撮影画像データの撮影位置を取得する撮影位置取得手段とを備え、撮影画像記憶手段は、撮像手段から出力された撮影画像データ及び撮影位置取得手段により取得された撮影位置データを関連付けて記憶することを特徴とする。
【０００８】
また、第３の発明は上記第１又は第２の発明の撮影画像管理装置において、グループ名決定手段により決定されたグループ名を表示手段に表示するグループ名表示制御手段を備えることを特徴とする。
【０００９】
また、第４の発明は上記第１乃至第３のいずれかの発明の撮影画像管理装置において、グループ名決定手段により決定されたグループ名を当該グループに含まれている複数の撮影画像データに関連付けて撮影画像記憶手段に記憶する記憶制御手段を備えることを特徴とする。
【００１０】
また、第５の発明は上記第４の発明の撮影画像管理装置において、記憶制御手段はグループ名をフォルダ名として撮影画像記憶手段に記憶する手段であることを特徴とする。
【００１１】
また、第６の発明は上記第１乃至第５のいずれかの発明の撮影画像管理装置において、位置データ及び名称データを関連付けて複数記憶する名称記憶手段を備え、グループ名決定手段は、グループ化手段によりグループ化された複数の撮影画像データと関連付けて撮影画像記憶手段に記憶されている各撮影位置データのうちの少なくとも１つの撮影位置データと、名称記憶手段に記憶されている位置データとに基づき、名称記憶手段に記憶されている名称データを特定し当該グループのグループ名として決定することを特徴とする。
【００１２】
また、第７の発明は上記第６の発明の撮影画像管理装置において、名称記憶手段は、エリアデータ及び名称データを関連付けて複数記憶する手段であり、グループ名決定手段は、グループ化手段によりグループ化された複数の撮影画像データと関連付けて撮影画像記憶手段に記憶されている複数の撮影位置データと、名称記憶手段に記憶されているエリアデータとに基づき、名称記憶手段に記憶されている名称データを特定し当該グループのグループ名として決定することを特徴とする。
【００１３】
また、第８の発明は上記第６又は第７の撮影画像管理装置において、撮影画像記憶手段に撮影画像データと関連付けて記憶されている撮影位置データと、名称記憶手段に記憶されている位置データとに基づき、名称記憶手段に記憶されている名称データを特定し当該撮影画像データの画像ファイル名として決定するファイル名決定手段を備えることを特徴とする。
【００１４】
また、第９の発明は上記第１乃至第６のいずれかの発明の撮影画像管理装置において、撮影画像記憶手段は、撮影位置データ及び撮影画像データを撮影日時データと関連付けて記憶し、グループ名決定手段は、グループ化手段によりグループ化された複数の撮影画像データのうち該撮影画像データと関連付けて記憶されている撮影日時データが最も早い撮影画像データに関連付けて記憶されている撮影位置データに基づき、当該グループのグループ名を決定することを特徴とする。
【００１５】
また、第１０の発明は上記第１乃至第６のいずれかの発明の撮影画像管理装置において、グループ名決定手段は、グループ化手段によりグループ化された複数の撮影画像データと関連付けて記憶されている複数の撮影位置データに基づき、当該グループのグループ名を決定することを特徴とする。
【００１６】
また、第１１の発明は上記第１０の発明の撮影画像管理装置において、グループ名決定手段は、グループ化手段によりグループ化された複数の撮影画像データと関連付けて記憶されている複数の撮影位置データを平均化することにより得られる平均撮影位置データに基づき、当該グループのグループ名を決定することを特徴とする。
【００１７】
また、第１２の発明は上記第１乃至第１１のいずれかの発明の撮影画像管理装置において、エリアデータ及び名称データを関連付けて複数記憶する名称記憶手段を備え、グループ化手段は、名称記憶手段に記憶されているエリアデータにより特定されるエリア内に含まれている複数の撮影位置データと関連付けて撮影画像記憶手段に記憶されている複数の撮影画像データをグループ化することを特徴とする。
【００１８】
また、第１３の発明は上記第１２の発明の撮影画像管理装置において、グループ名決定手段は、グループ化手段でグループ化する際に利用されたエリアデータと関連付けて名称記憶手段に記憶されている名称データを当該グループのグループ名として決定することを特徴とする。
【００１９】
また、第１４の発明は上記第１乃至第１１のいずれかの発明の撮影画像管理装置において、グループ化手段は、撮影画像記憶手段に撮影画像データと関連付けて記憶される各撮影位置データ間の距離が所定距離以上であるか否かの判断基準に基づいて、複数の撮影画像データを自動的にグループ化することを特徴とする。
【００２０】
また、第１５の発明は上記第１４の発明の撮影画像管理装置において、各撮影位置データ間の距離の分布状態に基づいて所定距離を決定する距離決定手段を備えることを特徴とする。
【００２１】
また、第１６の発明は上記第１乃至第１１のいずれかの発明の撮影画像管理装置において、撮影画像記憶手段に記憶されている複数の撮影画像データの中から任意の撮影画像データを複数選択する撮影画像選択手段を備え、グループ化手段は、撮影画像選択手段により選択された複数の撮影画像データをグループ化することを特徴とする。
【００２２】
また、第１７の発明は上記第１６の発明の撮影画像管理装置において、地図を記憶する地図記憶手段と、この地図記憶手段に記憶されている地図を表示手段に表示する地図表示制御手段とを備え、撮影画像選択手段は、地図表示制御手段により表示手段に表示されている地図上の所望範囲を手動指定可能な範囲指定手段を含み、グループ化手段は、範囲指定手段により指定された地図範囲に含まれている複数の撮影位置データに関連付けて撮影画像記憶手段に記憶されている複数の撮像画像データをグループ化することを特徴とする。
【００２３】
また、第１８の発明は上記第１７の発明の撮影画像管理装置において、撮影画像記憶手段に記憶されている撮影位置データにより特定される地図上の位置に、撮影位置を示すシンボルを表示するシンボル表示制御手段を備えることを特徴とする。
【００２４】
また、第１９の発明の撮影画像管理装置は、地図を記憶する地図記憶手段と、この地図記憶手段に記憶されている地図を表示手段に表示する地図表示制御手段と、複数の撮影画像データ及び撮影位置データをグループ化して記憶する撮影画像記憶手段と、この撮影画像記憶手段に記憶されている同一グループ内の複数の撮影位置データのうちの少なくとも１つの撮影位置データに基づき決定した地図上の位置にシンボルを表示するシンボル表示制御手段と、を備えたことを特徴とする。
【００２５】
また、第２０の発明は上記第１９の発明の撮影画像管理装置において、撮影画像記憶手段は、撮影位置データ及び撮影画像データを撮影日時データと関連付けて記憶し、シンボル表示制御手段は、同一グループ内の複数の撮影画像データのうち該撮影画像データと関連付けて記憶されている撮影日時データが最も早い撮影画像データに関連付けて記憶されている撮影位置データに基づき決定した地図上の位置にシンボルを表示することを特徴とする。
【００２６】
また、第２１の発明は上記第１９の発明の撮影画像管理装置において、シンボル表示制御手段は、同一グループ内の複数の撮影画像データと関連付けて記憶されている複数の撮影位置データを平均化することにより得られる平均撮影位置データに基づき決定した地図上の位置にシンボルを表示することを特徴とする。
【００２７】
また、第２２の発明は上記第１９乃至第２１のいずれかの発明の撮影画像管理装置において、同一グループ内の複数の撮影画像データと関連付けて撮影画像記憶手段に記憶されている各撮影位置データのうちの少なくとも１つの撮影位置データに基づき、当該グループのグループ名を決定するグループ名決定手段を備え、シンボル表示制御手段は、グループ名決定手段により決定されたグループ名をシンボルと共に地図上に表示する手段を含むことを特徴とする。
【００２８】
また、第２３の発明は上記第１９乃至第２２のいずれかの発明の撮影画像管理装置において、シンボル表示制御手段により地図上に表示されているシンボルの中から所望のシンボルを選択するシンボル選択手段を備え、シンボル表示制御手段は、シンボル選択手段により選択されたシンボルに対応するグループに含まれている各撮影画像データと関連付けて撮影画像記憶手段に記憶されている各撮影位置データにより特定される地図上の複数の位置にシンボルを表示する手段を含むことを特徴とする。
【００２９】
また、第２４の発明の撮影画像管理装置は、地図を記憶する地図記憶手段と、この地図記憶手段に記憶されている地図を表示手段に表示する地図表示制御手段と、複数の撮影画像データ及び撮影位置データを複数のグループにグループ分けして記憶する撮影画像記憶手段と、撮影画像記憶手段に記憶されている撮影位置データにより特定される地図上の位置にシンボルを表示する場合、複数のグループのうちのいずれか１つのグループに含まれる複数の撮影画像データと関連付けて撮影画像記憶手段に記憶されている各撮影位置データにより特定される地図上の複数の位置にシンボルを表示するシンボル表示制御手段と、を備えたことを特徴とする。
【００３０】
また、第２５の発明は上記第２４の発明の撮影画像管理装置において、グループ化された複数の撮影画像データと関連付けて撮影画像記憶手段に記憶されている各撮影位置データのうちの少なくとも１つの撮影位置データに基づき、当該グループのグループ名を決定するグループ名決定手段を備え、シンボル表示制御手段は、グループ名決定手段により決定されたグループ名を複数のシンボルと共に地図上に表示する手段を含むことを特徴とする。
【００３１】
また、第２６の発明の撮影画像管理装置は、地図を記憶する地図記憶手段と、この地図記憶手段に記憶されている地図を表示手段に表示する地図表示制御手段と、撮影画像データ及び撮影位置データを関連付けて複数記憶する撮影画像記憶手段と、この撮影画像記憶手段に記憶されている撮影位置データにより特定される地図上の位置にシンボルを表示するシンボル表示制御手段と、地図表示制御手段により表示手段に表示されている地図上の所望範囲を手動指定可能な範囲指定手段と、この範囲指定手段により指定された地図範囲に含まれている複数のシンボルに対応する複数の撮影位置データに関連付けて撮影画像記憶手段に記憶されている複数の撮影画像データをグループ化するグループ化手段と、を備えたことを特徴とする。
【００３２】
また、第２７の発明の撮影画像管理方法は、複数の撮影画像データをグループ化するステップと、グループ化した複数の撮影画像データ各々の撮影位置のうちの少なくとも１つの撮影位置に基づき、当該グループのグループ名を決定するステップと、からなることを特徴とする。
【００３３】
また、第２８の発明の撮影画像管理方法は、複数の撮影画像データ及び撮影位置データをグループ化してメモリに記憶するステップと、地図を表示部に表示するステップと、メモリに記憶されている同一グループ内の複数の撮影位置データのうちの少なくとも１つの撮影位置データに基づき決定した地図上の位置にシンボルを表示するステップと、からなることを特徴とする。
【００３４】
また、第２９の発明の撮影画像管理方法は、複数の撮影画像データ及び撮影位置データを複数のグループにグループ分けしてメモリに記憶するステップと、地図を表示部に表示するステップと、メモリに記憶されている撮影位置データにより特定される地図上の位置にシンボルを表示する場合、複数のグループのうちのいずれか１つのグループに含まれる複数の撮影画像データと関連付けてメモリに記憶されている各撮影位置データにより特定される地図上の複数の位置にシンボルを表示するステップと、からなることを特徴とする。
【００３５】
また、第３０の発明の撮影画像管理方法は、撮影画像データ及び撮影位置データを関連付けて複数メモリに記憶するステップと、地図を表示部に表示するステップと、メモリに記憶されている撮影位置データにより特定される地図上の位置にシンボルを表示するステップと、表示部に表示されている地図上の所望範囲を手動指定するステップと、手動指定された地図範囲に含まれている複数のシンボルに対応する複数の撮影位置データに関連付けてメモリに記憶されている複数の撮像画像データをグループ化するステップと、からなることを特徴とする。
【００３６】
また、第３１の発明の撮影画像管理プログラムは、複数の撮影画像データをグループ化するステップと、グループ化した複数の撮影画像データ各々の撮影位置のうちの少なくとも１つの撮影位置に基づき、当該グループのグループ名を決定するステップとを撮影画像管理装置に対して実行可能とすることを特徴とする。
【００３７】
また、第３２の発明の撮影画像管理プログラムは、複数の撮影画像データ及び撮影位置データをグループ化してメモリに記憶するステップと、地図を表示部に表示するステップと、メモリに記憶されている同一グループ内の複数の撮影位置データのうちの少なくとも１つの撮影位置データに基づき決定した地図上の位置にシンボルを表示するステップとを撮影画像管理装置に対して実行可能とすることを特徴とする。
【００３８】
また、第３３の発明の撮影画像管理プログラムは、複数の撮影画像データ及び撮影位置データを複数のグループにグループ分けしてメモリに記憶するステップと、地図を表示部に表示するステップと、メモリに記憶されている撮影位置データにより特定される地図上の位置にシンボルを表示する場合、複数のグループのうちのいずれか１つのグループに含まれる複数の撮影画像データと関連付けてメモリに記憶されている各撮影位置データにより特定される地図上の複数の位置にシンボルを表示するステップとを撮影画像管理装置に対して実行可能とすることを特徴とする。
【００３９】
また、第３４の発明の撮影画像管理プログラムは、撮影画像データ及び撮影位置データを関連付けて複数メモリに記憶するステップと、地図を表示部に表示するステップと、メモリに記憶されている撮影位置データにより特定される地図上の位置にシンボルを表示するステップと、表示部に表示されている地図上の所望範囲を手動指定するステップと、手動指定された地図範囲に含まれている複数のシンボルに対応する複数の撮影位置データに関連付けてメモリに記憶されている複数の撮像画像データをグループ化するステップとを撮影画像管理装置に対して実行可能とすることを特徴とする。
【発明の効果】
【００４０】
以上説明したように、第１の発明の撮影画像管理装置、第２７の発明の撮影画像管理方法及び第３１の発明の撮影画像管理プログラムによれば、グループ化した各撮影画像の撮影位置のうち少なくとも一つの撮影位置データに基いてグループ名を自動的に決定するので、グループ名を手入力する手間がかからない。
【００４１】
また、第２の発明の撮影画像管理装置によれば、撮像手段から出力された撮影画像データと撮影位置取得手段により取得された撮影位置データとを関連付けて記憶するので、デジタルカメラのみを用いて撮影画像データをグループ化し、グループ名を自動的に決定することができる。
【００４２】
また、第３の発明の撮影画像管理装置によれば、グループ名を表示するので、グループ名を視覚的に確認することができる。
【００４３】
また、第４の発明の撮影画像管理装置によれば、グループに含まれている各撮影画像データとグループ名とを関連付けて記憶するので、グループ名指定によりグループ単位の画像検索が可能になる。
【００４４】
また、第５の発明の撮影画像管理装置によれば、グループ名はフォルダ名として記憶されるので、グループ名を利用して撮影画像データをフォルダ管理することができる。
【００４５】
また、第６の発明の撮影画像管理装置によれば、撮影位置に対応する名称をグループ名とするので、撮影場所に適したわかりやすい名称をグループ名とすることができる。
【００４６】
また、第７の発明の撮影画像管理装置によれば、同一グループ内の各撮影画像の撮影位置を含むエリアに対応する名称をグループ名とするので、同一グループ内の複数の撮影場所に適した名称をグループ名とすることができる。
【００４７】
また、第８の発明の撮影画像管理装置によれば、撮影位置に対応する名称をファイル名として自動的に決定するので、ファイル名を手入力する手間がかからない。
【００４８】
また、第９の発明の撮影画像管理装置によれば、同一グループ内の各撮影画像データのうち撮影日時が最も早い撮影画像データと関連付けて記憶されている撮影位置データに基づいてグループ名を自動的に決定するので、グループ名を、通常、一番印象に残っている最初の撮影場所に基づくグループ名とすることができる。
【００４９】
また、第１０の発明の撮影画像管理装置によれば、同一グループ内の複数の撮影画像データと関連付けて記憶されている複数の撮影位置データに基づいてグループ名を自動的に決定するので、グループ名を、同一グループ内の複数の撮影場所に適したグループ名とすることができる。
【００５０】
また、第１１の発明の撮影画像管理装置によれば、同一グループ内の複数の撮影位置を平均化した平均撮影位置に基づいてグループ名を自動的に決定するので、グループ名を、同一グループ地域の代表位置である中心位置に基づくグループ名とすることができる。
【００５１】
また、第１２の発明の撮影画像管理装置によれば、同一エリアに含まれる複数の撮影位置に対応する複数の撮影画像をグループ化するので、撮影場所に基づく撮影画像のグループ分けを自動化できる。
【００５２】
また、第１３の発明の撮影画像管理装置によれば、同一グループとしたエリアに対応する名称をグループ名とするので、同一グループ内の複数の撮影場所に適した名称をグループ名とすることができる。また、撮影画像のグループ化処理とグループ名決定処理とを一括して行うことができる。
【００５３】
また、第１４の発明の撮影画像管理装置によれば、各撮影位置間の距離の長短に基づき撮影画像をグループ化するので、撮影場所に基づく撮影画像のグループ分けを自動化できる。
【００５４】
また、第１５の発明の撮影画像管理装置によれば、各撮影位置間の距離の長短を判断する基準距離を撮影位置の分布状態に基づいて決定するので、ユーザーの行動範囲に応じた撮影画像のグループ化を実現できる。
【００５５】
また、第１６の発明の撮影画像管理装置によれば、複数の撮影画像データの中からグループ化する撮影画像データを手動選択するので、ユーザーの希望に合致した撮影画像のグループ化を実現できる。
【００５６】
また、第１７の発明の撮影画像管理装置によれば、地図上の所望範囲を手動指定することにより指定範囲に含まれている撮影位置に対応する撮影画像をグループ化するので、グループ化する撮影画像の手動選択操作を容易にすることができる。
【００５７】
また、第１８の発明の撮影画像管理装置によれば、地図上に撮影位置を示すシンボルを表示するので、シンボルを視認しながら地図上の所望範囲を手動指定することができ、グループ化する撮影画像の手動操作をより一層容易にすることができる。
【００５８】
また、第１９の発明の撮影画像管理装置、第２８の発明の撮影画像管理方法及び第３２の発明の撮影画像管理プログラムによれば、地図上にグループの代表位置を示すシンボルのみを表示するので、同一グループ内の各撮影位置を示す複数のシンボルが密集して表示されることによる視認性の悪化を防止することができる。
【００５９】
また、第２０の発明の撮影画像管理装置によれば、同一グループ内で撮影日時が最も早い撮影画像の撮影位置を示すシンボルを地図上に表示するので、通常、一番印象に残っている最初の撮影位置をグループの代表位置として地図上にシンボル表示することができる。
【００６０】
また、第２１の発明の撮影画像管理装置によれば、同一グループ内の複数の撮影位置を平均化した平均撮影位置を示すシンボルを地図上に表示するので、同一グループ地域の中心位置をグループの代表位置として地図上にシンボル表示することができる。
【００６１】
また、第２２の発明の撮影画像管理装置によれば、地図上にシンボルと共にグループ名を表示するので、地図上に表示されているシンボルがどのグループのものであるかを容易に知ることができる。
【００６２】
また、第２３の発明の撮影画像管理装置によれば、地図上の所望のシンボルを選択するとそのグループに含まれている各撮影位置を示す複数のシンボルを表示するので、地図上での撮影位置を示すシンボルの選択操作を容易にすることができ、結果として、ユーザーが所望する撮影画像を迅速に再生することが可能になる。
【００６３】
また、第２４の発明の撮影画像管理装置、第２９の発明の撮影画像管理方法及び第３３の発明の撮影画像管理プログラムによれば、ある一つのグループに含まれている各撮影位置を示す複数のシンボルのみを地図上に表示するので、複数のグループ内の各撮影位置を示す複数のシンボルが表示されることによる視認性の悪化を防止することができ、結果として、地図上での撮影位置を示すシンボルの選択操作を容易にすることができる。
【００６４】
また、第２５の発明の撮影画像管理装置によれば、地図上に複数のシンボルと共にグループ名を表示するので、地図上に表示されている複数のシンボルがどのグループのものであるかを容易に知ることができる。
【００６５】
また、第２６の発明の撮影画像管理装置、第３０の発明の撮影画像管理方法及び第３４の発明の撮影画像管理プログラムによれば、地図上のシンボルを視認しながら所望範囲を手動指定することにより指定範囲に含まれている撮影位置に対応する撮影画像をグループ化するので、グループ化する撮影画像の手動選択操作を容易にすることができる。
【発明を実施するための最良の形態】
【００６６】
図１は本発明の撮影画像管理装置をデジタルカメラ１００に適用した場合の一実施例の構成を示すブロック図であり、ＧＰＳ受信部（撮影位置取得手段）１、撮像部（撮像手段）２、制御部（グループ化手段、グループ名決定手段、グループ名表示制御手段、記憶制御手段、ファイル名決定手段、距離決定手段、地図表示制御手段、シンボル表示制御手段）３、操作部（撮影画像選択手段、範囲指定手段、シンボル選択手段）４、ＤＲＡＭ（一時記憶メモリ）５、フラッシュメモリ（メモリ部、撮影画像記憶手段、名称記憶手段、地図記憶手段）６、表示部（表示手段）７及びプログラム格納メモリ（グループ化手段、グループ名決定手段、グループ名表示制御手段、記憶制御手段、ファイル名決定手段、距離決定手段、地図表示制御手段、シンボル表示制御手段）８を備えている。なお、図１で、外部装置に撮影画像及び関連データを送信するＩ／Ｏインターフェイス９を備えるようにしてもよい。ＧＰＳ受信部１はＧＰＳ衛星からの受信データを基にデジタルカメラ１００の自己位置計算等の位置計測（測位）を行なう。ＧＰＳ受信部１による測位結果はデジタルカメラ１００全体を制御する制御部３に送られる。なお、デジタルカメラ１００における撮影位置取得手段はＧＰＳ受信部１に限定されない。例えば、ＧＰＳ受信部１を設けることなくＩ／Ｏインターフェイス９を介してＰＨＳ等の携帯電話の位置取得サービスを利用して位置情報を取得するようにしてもよい。
【００６７】
撮像部２は、撮影レンズ及びＣＣＤ等を介して取込んだ被写体像をデジタルデータに変換し、デジタルデータからデジタルの輝度、色差マルチプレクス信号（Ｙ、Ｃｂ、Ｃｒデータ）等の信号成分（以下、画像データ）を得てＤＲＡＭ５に転送する。
【００６８】
制御部３は、ＣＰＵ、ＲＡＭ及びタイマ等の周辺回路を有したマイクロプロセッサ構成を有しており、ＣＰＵは上述の各回路及び図示しない電源切換えスイッチ等にバスラインを介して接続し、プログラム格納メモリ８に格納されている制御プログラムによりデジタルカメラ全体の制御を行なうと共に、操作部４からの状態信号に対応してプログラム格納用メモリ８に格納されている各モード処理用のプログラム等を取り出してデジタルカメラ１００の各機能の実行制御等を行なう。
また、本実施の形態では、プログラム格納用メモリ８に格納された撮影画像管理プログラム等を取り出して画像のグループ化（分類）やグループ化された画像の撮影位置の表示制御等、デジタルカメラ１００の各機能の実行制御等を行なう。
【００６９】
また、制御部３は後述するシャッターボタン４２の全押し操作がされると撮像部２による撮像処理を実行し、取得された撮影画像データをＤＲＡＭ５に書き込んだ後、ＤＲＡＭ５に書き込まれている撮影画像データを読み出して、例えば、ＪＰＥＧ圧縮処理のような画像データ圧縮処理を施し、フラッシュメモリ６に保存記憶する。また、この際、ＧＰＳ受信部１から取得した撮影位置データを撮影画像データに関連付けてフラッシュメモリ６に保存記憶する。また、制御部３は再生時にフラッシュメモリ６から読み出された撮影画像データ（圧縮データ）に伸張処理を施して撮影画像データを表示部７に再生する。
【００７０】
操作部４は、処理モード切り替えスイッチ４１、シャッターボタン４２、カーソルキー４４等のキーやスイッチを構成部分としており、これらのキー或いはスイッチが操作されると状態信号が制御部３に送出される。ユーザは処理モード切り替えスイッチ４１の操作により撮影モードと再生モードの切り替えや画像分類モードやグループ表示モードを選択することができる。
ＤＲＡＭ５は一時記憶メモリとして用いられ、撮影画像データや再生画像データを一時的に記憶する画像バッファ領域や名称データの一時記憶領域や画像データの圧縮／伸張処理用の作業用領域等が確保されている。
【００７１】
また、フラッシュメモリ６は後述するように撮影画像データ（圧縮画像データ）を保存記憶する画像ファイル領域や撮影画像データに関連付けて記憶される撮影位置データを記憶するファイル領域等が確保されている（図２）。また、本実施例ではフラッシュメモリ６はデジタルカメラ１００に内蔵されているが、これに限定されず、デジタルカメラ１００に対して着脱可能とするカード形式のフラッシュメモリを用いる構成のものであってもよい。
【００７２】
表示部７はビデオメモリ、エンコーダ（図示せず）及び液晶表示画面を備え、制御部３の表示制御により、ビデオメモリに出力された処理選択時の機能選択用メニューデータや画像データ及び撮影場所の名称データや地図上の撮影場所を示すアイコン等を液晶画面に表示する。
【００７３】
プログラム格納メモリ８はＥＥＰＲＯＭ等の不揮発性メモリからなり、ＯＳや通信制御プログラム等の制御プログラムや、各種モード選択プログラムが格納されている。また、プログラム格納用メモリ８は制御部３から参照・更新可能である。また、本実施の形態ではプログラム格納メモリ８は画像のグループ化（分類）やグループ化された画像の表示等を行うための撮影画像管理プログラム（グループ名決定プログラムを含む）等も格納している。
【００７４】
図２はフラッシュメモリ６の領域構成の一実施例を示す図である。図２で、フラッシュメモリ６は後述するグループ管理フォルダ６１０等を記憶する管理フォルダ領域（撮影画像記憶手段）６１、撮影画像データを含む画像ファイル６２−１〜６２−ｎを記憶する画像ファイル領域（撮影画像記憶手段）６２、地図上の地名や施設名等の場所名（名称データ）を位置データと関連付けて記憶した場所名ファイル６３０を格納する場所名ファイル領域（名称記憶手段）６３及び地図データを格納した地図データ領域（地図記憶手段）６４を有している。なお、場所名ファイルは、通常地図データに含まれているので、場所名ファイル領域６３を設けないように構成することも可能である。
【００７５】
なお、後述するようにパソコン等の外部画像管理装置で画像のグループ化やグループ名の決定処理等の画像管理処理を行う場合にはフラッシュメモリ６には撮影画像ファイルが保存記憶され、パソコン等の外部画像管理装置の保存記憶メモリに、図２に示したような領域が確保される。また、この際外部画像管理装置の保存記憶メモリには撮影画像の撮影順等を記憶した管理レコードからなる撮影順序管理ファイル領域が確保される（図１６（ｂ））。
【００７６】
図３はフラッシュメモリ６に格納されるファイルやテーブルのレコード構成の一実施例を示す図である。
画像管理フォルダ６１は、図３（ａ）、図３（ｂ）に示すように、グループ名（文字列）からなるフォルダ名６１１、代表撮影位置情報６１２及びそのグループに属する最初の撮影画像データの画像ファイル管理データのアドレスを記憶した従属ファイルポインタ６１３を有する複数のグループ画像管理フォルダ６１０（６１０−１、６１０−２、・・）と画像ファイル管理データ（６１４〜６１６）とで構成されている。なお、グループ名（フォルダ名６１１）は本実施の形態では代表撮影位置の地名または施設名等からなる場所名（文字列）が用いられている。
【００７７】
また、画像ファイル管理データ（同一グループに属する（同一フォルダ内にある）画像ファイルの記憶アドレスを管理するデータ）は図３（ｂ）に示すように、グループに属する撮影画像データが格納されている画像ファイル６２０のアドレスを記憶した画像ポインタ６１４（６１４−１、６１４−２、・・）、その画像の撮影位置データ（緯度、経度データ）６１５（６１５−１、６１５−２、・・）と同一グループに属する次の撮影画像データの画像ファイル管理データのアドレスを記憶した従属ファイルポインタ６１６（６１６−１、６１６−２、・・）からなる。
【００７８】
つまり、同一グループに属する撮影画像データの個数をｊとすると、ｊ個の画像ファイル管理データがグループ画像管理フォルダ６１０に順次連鎖する。また、ｊ番目の画像ファイル管理データ（同一グループ内に属する撮影画像データ中の最後の撮影画像データの画像ファイル管理データ）は、従属ファイルポインタ６１６の部分に終わりマーク（特殊な値）が記憶される。
【００７９】
なお、上記図３（ａ）、図３（ｂ）に示した例では画像ファイル管理データ６１４〜６１６には撮影画像の撮影場所名を記憶していないが、画像ファイル管理データの一部として撮影画像の撮影場所名を記憶するように構成してもよい。このように構成した場合は、記憶した撮影場所名を画像ファイルのファイル名として用いることができる。
【００８０】
また、上述した説明では、画像管理フォルダ６１をグループ画像管理フォルダ６１０と画像ファイル管理データ６１４〜６１６とで構成するものとしたが、グループ画像管理フォルダ６１０のみで構成し、従属ファイルポインタ６１３に代えてグループに属する複数の撮影画像データの画像ポインタ６１４を記憶するようにしてもよい。
【００８１】
また、グループ画像管理フォルダ６１０に従属していない画像ファイル６２０に対する画像ファイル管理データは、画像ポインタ６１４と撮影位置データ６１５のみで構成されている。また、撮影位置データ６１５や画像ファイル名は各画像ファイルの中に含めるようにしてもよい。
【００８２】
図４は画像ファイル６２０の構成例を示す図であり、画像ファイル６２−１〜６２−ｎはそれぞれ図４に示すように、画像ファイル名（または画像番号）６２１、撮影日時データ等の撮影情報６２２、撮影位置情報６２３及び１フレーム分の撮影画像データ（圧縮画像データ）６２４とで構成されている。また、撮影位置情報は、ＧＰＳ受信部１によって撮影時に取得されるデジタルカメラ１００の位置情報（緯度情報及び経度情報）であり、撮影画像データの保存記録時に記録される情報である。
【００８３】
また、同様に、撮影日時データはデジタルカメラ１００に設けられた図示せぬ時計部から撮影時に取得される現在時刻情報であり、撮影画像データの保存記録時に記録される情報である。
【００８４】
図５は場所名ファイルの一実施例を示す図であり、場所名ファイル６３０は地図上の地名や施設名等の場所名（文字列）で表される場所名の位置情報（緯度情報及び経度情報）６３１及び場所名（名称データ）６３２からなる複数のファイルデータにより構成されている。
【００８５】
上記図３〜図５の構成により、後述するようにグループの代表撮影位置の位置情報（代表撮影位置情報６１２）と場所名ファイル６３０の位置情報６３１を比較して代表撮影位置情報６１２に最も近い場所の場所名６３２をグループ名（フォルダ名６１１）として取り出すことができる。なお、場所名ファイル６３０は、通常、地図データに含まれているので、地図データの中からグループ名を取り出すようにしてもよい。
【００８６】
また、当該グループ内の各撮影画像データの画像ファイル名６２１（撮影場所名）についても、グループ画像管理フォルダ６１０中の従属ファイルポインタ６１３や画像ファイル管理データ中の従属ファイルポインタ６１６を基に、画像ファイル管理データ中の撮影位置情報６１５あるいは画像ファイル６２０中の撮影位置情報６２３を取り出すことができるので、取り出した撮影位置情報と場所名ファイル６３０の位置情報６３１を比較して撮影位置情報に最も近い場所の場所名６３２を画像ファイル名６２１として取り出すことができる。なお、場所名ファイル６３０は、通常、地図データに含まれているので、地図データの中からファイル名を取り出すようにしてもよい。
【００８７】
図６はデジタルカメラ１００の撮影画像管理機能構成の要部を示す機能ブロック図であり、図６（ａ）は撮影画像分類（グループ化）機能の要部を示す図、図６（ｂ）はグループ画像表示機能の要部を示す図である。
【００８８】
図６（ａ）でデジタルカメラ１００は、フラッシュメモリ６に記憶されている画像ファイル６２０から取得する撮影位置情報に基づいてグループ範囲を決定するグループ範囲決定手段７１と、決定されたグループの代表撮影位置を決定する代表撮影位置決定手段７２と、グループ名を取得してグループ画像管理フォルダ６１０を生成するグループ画像管理フォルダ生成手段７３と、グループ画像管理フォルダ６１０に従属する撮影画像データの画像ファイル管理データを生成する従属画像ファイル管理データ生成手段７４と、単独撮影により得られた撮影画像データの画像ファイル管理データを生成する単独画像ファイル管理データ生成手段７５を備えている。
【００８９】
また、グループ範囲決定手段７１は選択された地図を指定された縮尺で表示する手段と、現在表示されている範囲の地図内での撮影位置を表現するシンボル（例えば「★」）を撮影位置に表示する手段と、選択・指定されたシンボルの範囲内でグループ範囲を決定する手段を含むようにしてもよい。
【００９０】
また、図６（ｂ）でデジタルカメラ１００は、選択された地図を指定された縮尺で表示する地図表示制御手段８１と、現在表示されている範囲の地図内で撮影した画像のグループ名及び代表撮影位置（シンボル）を地図上に表示するグループ表示制御手段（シンボル表示制御手段）８２と、グループ名あるいはシンボルが選択・指定された場合はそのグループに属する各撮影画像データの撮影位置（シンボル）及びグループ名を地図上に表示するグループ内画像位置表示制御手段（シンボル表示制御手段）８３を備えている。
また、この際、グループ内画像位置表示制御手段８３は選択指定されたグループ名（＝グループの撮影場所名）を画面の所定位置に表示して地図をグループ範囲が含まれる最大の縮尺で拡大して表示する。
【００９１】
また、本実施の形態では上記グループ表示制御手段８２及びグループ内画像位置表示制御手段８３による撮影位置表示は各画像の撮影位置にそれぞれシンボル（例えば、「★」）を表示するようにしたがシンボルの種類は「★」印に限定されない。例えば、シンボル「★」の代わりに撮影画像データを縮小したサムネイル画像やグループ名（フォルダ名）を地図上の撮影位置にシンボルとして表示するようにしてもよい。
【００９２】
上記図６の機能ブロックに示した各手段は、本実施の形態では撮影画像管理プログラムを構成するプログラムモジュールとして構成され、制御部３の実行制御により機能するようにしたがこれに限定されない。
【００９３】
図７はグループ化処理の際に一時記憶メモリ（ＤＲＡＭ）５に作成するグループ判別テーブルの一実施例を示す図であり、グループ判別テーブル９０はグループ範囲決定手段７１によって生成される。
【００９４】
グループ判別テーブル９０は、フラッシュメモリ６に保存記憶されている各画像の画像番号（または、格納アドレス）を記憶する画像ポインタ欄９１、その画像の撮影位置（緯度、経度）を記憶する緯度欄９２及び経度欄９３、緯度及び経度を基に算出した直前の撮影画像との距離を記憶する距離欄９４及びグループ範囲判別結果（グループ番号）を記憶するグループ欄９５を有している。
【００９５】
図８はデジタルカメラ１００による撮影画像のグループ化処理及びグループ名決定処理の動作例を示すフローチャートである。なお、フラッシュメモリ６に記憶されている撮影画像データは撮影位置データと関連付けられて記憶されているものとする。
ステップＳ１：（記憶画像の撮影順での読出し）
制御部３はグループ範囲決定手段７１の実行制御を行い、フラッシュメモリ６に保存記憶されている画像ファイル６２０の画像番号（または格納アドレス）及び撮影位置情報（緯度、経度）を各撮影画像の撮影順（つまり、撮影日時順）に読み出す。また、この際、各グループ画像管理フォルダ６１０に連鎖して記憶されている画像ファイル管理データ中の画像ポインタ６１４に対応する画像ファイルはグループ化済みとして読み飛ばす。
【００９６】
ステップＳ２：（グループ判別テーブルの作成）
次に、読み出した画像ファイルの画像番号（または、記憶アドレス）、緯度、経度を図７に示したようなグループ判別テーブル９０の画像ポインタ欄９１、緯度欄９２、経度欄９３に記憶し、全ての画像番号及び撮影位置情報の読出しが終わるまでステップＳ１に遷移する。
【００９７】
ステップＳ３：(前画像との距離算出：グループ化手段）
上記ステップＳ２でグループ判別テーブル９０に記憶された緯度及び経度を基に直前の撮影画像との撮影位置間距離を順次算出し、グループ判別テーブル９０の距離欄９４に記憶する。
【００９８】
ステップＳ４：（グループ範囲の決定：グループ化手段）
次に、グループ判別テーブル９０の距離欄９４に記憶されている距離が閾値（所定距離）以上か否かを順次調べ、閾値以上の距離の撮影画像から別グループとする。ここで、閾値は地図データ表示の際の縮尺、ＧＰＳ受信部１の測位性能等を勘案して設計時に決めておく任意の固定定数である。ここでは、閾値＝１０ｋｍとする。例えば、図７に示したグループ判別テーブル９０に示した例では、撮影順が４番目と７番目の撮影画像の撮影位置と直前の撮影画像の撮影位置との間の直線距離が１０Ｋｍ以上であるため、１〜３番目、４〜６番目及び７〜９番目の撮影画像をそれぞれ同一グループとして決定する。
【００９９】
ステップＳ５：（グループ内の画像数判定）
次に、グループ内の撮影画像数を調べ、撮影画像数が１個の場合はグループ化できないので単独撮影画像としてステップＳ１１に遷移する。
【０１００】
ステップＳ６：（代表撮影位置の決定：グループ名決定手段）
また、ステップＳ５でグループ内の撮影画像数が複数であると判別された場合、制御部３は代表撮影位置決定手段７２の実行制御を行い、そのグループの先頭の撮影画像の撮影位置（画像ファイル６２０内の撮影日時データ６２２が最も早い撮影画像データ６２４の撮影位置データ６２３）を当該グループを代表する撮影位置（代表撮影位置）として決定する。なお、代表撮影位置はグループの先頭画像の撮影位置に限定されない。例えば、最後の撮影画像の撮影位置としてもよく、中間の撮影画像の撮影位置としてよく、２番目等の撮影画像の撮影位置としてもよい。
【０１０１】
ステップＳ７：（グループ画像管理フォルダの生成：グループ名決定手段）
次に、制御部３はグループ画像管理フォルダ生成手段７３の実行制御を行い、上記ステップＳ６で決定した代表撮影位置（緯度、経度で表される）と場所名ファイル６３０の位置情報（緯度、経度）６３１を比較して代表撮影位置に最も近い位置情報(緯度、経度）に対応する場所名６３２を場所名ファイル領域６３から読み出してグループ名として決定する。
【０１０２】
ステップＳ８：（グループ画像管理フォルダの生成：記憶制御手段）
次に、制御部３は、上記ステップＳ７で決定したグループ名をフォルダ名６１１とし、また、上記ステップＳ６で決定した代表撮影位置の位置情報（緯度、経度）を代表撮影位置６１２とし、また、グループ内の先頭の撮影画像の画像ファイル管理データのアドレスを従属ファイルポインタ６１３としたグループ画像管理フォルダ６１０を生成する。
【０１０３】
ステップＳ９：（従属画像ファイル管理データの生成：ファイル名決定手段）
次に、制御部３は従属画像ファイル管理データ生成手段７４の実行制御を行い、そのグループ内の撮影画像の撮影位置情報（緯度、経度）を画像ポインタを基に対応する画像ファイル６２０から取り出し、この撮影位置情報と場所名ファイル６３０の位置情報（緯度、経度）６３１を比較して撮影位置に最も近い位置情報(緯度、経度）に対応する場所名６３２を場所名ファイル領域６３から読み出してその撮影画像の画像ファイル名として決定する。この画像ファイル名を決定する処理をグループ内の先頭画像から最後の画像の分まで実行し、ステップＳ１０に遷移する。
【０１０４】
ステップＳ１０：（従属画像ファイル管理データの生成：記憶制御手段）
次に、制御部３は、そのグループ内の撮影画像データの記憶アドレスを示す画像ポインタを画像ポインタ６１４とし、その撮影画像の撮影位置情報（緯度、経度）を画像ポインタを基に対応する画像ファイルから取り出して撮影位置情報６１５とし、同一グループ内の次の撮影画像の画像ファイル管理データの記憶アドレスを次の画像の従属ファイルポインタ６１６とした画像ファイル管理データをグループ内の先頭画像から最後の画像の分まで生成し、ステップＳ１２に遷移する。なお、グループ内の最後の画像に対する画像ファイル管理データ内の従属ファイルポインタ６１６には終わりマーク（特殊記号）を記憶する。なお、上記ステップＳ１０で決定した画像ファイル名は、そのグループに含まれる各画像ファイル６２０の画像ファイル名６２１として利用されるが、各画像ファイル管理データ中に含めるようにしてもよい。
【０１０５】
ステップＳ１１：（単独画像ファイル管理データの生成）
また、ステップＳ５でグループ内の画像数が１個と判定された場合は、制御部３は単独画像ファイル管理データ生成手段７５の実行制御を行い、グループ画像管理フォルダ６１０を生成することなく、その単独の撮影画像データの記憶アドレスを示す画像ポインタを画像ポインタ６１４とし、その撮影画像の撮影位置情報（緯度、経度）を画像ポインタを基に対応する画像ファイルから取り出して撮影位置情報６１５とした画像ファイル管理データを生成し、ステップＳ１２に遷移する。
【０１０６】
ステップＳ１２：（グループ終了判定）
制御部３は次のグループがある場合はステップＳ５に遷移し、次のグループがない場合はステップＳ１３に遷移する。
【０１０７】
ステップＳ１３：（生成されたフォルダの管理フォルダ領域への登録）
制御部３は上記ステップＳ８で生成されたグループ画像管理フォルダ６１０及びステップＳ９で生成された複数の従属画像ファイル管理データをフラッシュメモリ６（管理フォルダ領域６１）に登録（保存記憶）する。また、上記ステップＳ１１で単独画像ファイル管理データが生成された場合には同様にフラッシュメモリ６に登録（保存記憶）する。
【０１０８】
なお、上記ステップＳ４ではグループ範囲の決定時の閾値（同一グループか否かを決定する撮影位置間の距離）を固定定数としたがこれに限定されない。例えば、撮影位置間の距離の分布を調べてその結果に基づいて閾値を決定するようにしてもよい。
【０１０９】
具体的には、図９（ａ）に示すように、制御部３は距離決定手段の実行制御を行い、ステップＳ２１において、上記ステップＳ２で作成したグループ判別テーブル９０の距離欄９４の内容の分布を調べる。これにより、前画像との距離０〜１０Ｋmの画像が６個、１０Ｋm〜５０Ｋmが０個、５０Ｋm〜１００Ｋmが２個、１００Ｋm以上が０個という距離分布データを得ることができる。
その後、ステップＳ２２で、距離分布データから０〜１０Ｋmが最も多いので最頻値をとった距離区分の最大値１０Ｋmを閾値として決定する。
【０１１０】
また、上記ステップＳ６ではグループ内の所定の撮影画像の撮影位置を代表撮影位置決定の基準としたがこれに限定されない。例えば、グループ内の全ての撮影画像の撮影位置の平均値で表される位置を代表撮影位置としてもよい。また、グループ内の全撮影画像の撮影位置の重心位置を代表撮影位置としてもよい。
【０１１１】
具体的には、図９（ｂ）に示すように、図８のステップＳ５でグループ内の撮影画像数が複数であると判別された場合、制御部３は代表撮影位置決定手段７２の実行制御を行い、先ず、ステップＳ６−１でグループ内の各撮影画像の撮影位置の平均位置を求めることにより平均撮影位置を取得する。
その後、ステップＳ６−２で、上記ステップＳ６−１で取得された平均撮影位置を当該グループを代表する撮影位置（代表撮影位置）として決定した後、図８のステップＳ７に遷移する。
【０１１２】
また、上記図８のフローチャートにおいては、グループ名を決定するために図５に示した場所名ファイル６３０を用いるようにしたが、場所名ファイル６３０に代えて図１０（ａ）に示す地域（エリア）名ファイル６３０−１を用いるようにしてもよい。
【０１１３】
具体的には、図１１（ａ）に示すように、図８のステップＳ６で代表撮影位置を決定した後、先ず、ステップＳ７−１において、上記ステップＳ４で決定したグループ内の各撮影画像の撮影位置情報と地域名ファイル６３０−１中のエリア情報を比較することにより、グループ内の各撮影画像の撮影位置を全て含むエリアデータを検索する。
【０１１４】
そして、続くステップＳ７−２で検索したエリアデータと関連付けられている地域名ファイル６３０−１中の地域名（名称データ）を読み出してフォルダ名として決定し、図８のステップＳ８に遷移する。
【０１１５】
例えば、地域名ファイル６３０−１のエリア情報として図１０（ｂ）に示すようなエリアＡ、エリアＢ、エリアＣが登録されているとした場合、同一グループ内の撮影画像の撮影位置ａ〜ｃを全て含むエリア情報はエリアＣなので、エリアＣのエリアデータと関連付けられている地域名ファイル６３０−１中の地域名を読み出してフォルダ名として決定する。
【０１１６】
また、上記図８のフローチャートにおいては、各撮影位置間の距離に基づいて撮影画像をグループ化するようにしたが、上述した図１０（ａ）の地域名ファイル６３０−１を用いて撮影画像をグループ化するようにしてもよい。
【０１１７】
具体的には、図１１（ｂ）に示すように、図８のステップＳ２で「ＹＥＳ」と判断された後、先ず、ステップＳ３−１において、読み出した各撮影画像の撮影位置と地域名ファイル６３０−１中のエリアデータを比較する。
【０１１８】
そして、ステップＳ４−１で、上記ステップＳ３−１の比較の結果、同一エリアに含まれている撮影位置に対応する撮影画像を同一グループとして決定すると同時に、該エリアを示すエリアデータと関連付けられている地域名ファイル６３０−１中の地域名（名称データ）を読み出してフォルダ名として決定し、図８のステップＳ５に遷移する。この場合、上記ステップＳ３−１とステップＳ４−１とによりグループ化手段とグループ名決定手段とが実行される。
【０１１９】
この場合、図１０（ｂ）に示したように各エリアがお互いに重複しているエリアデータを用いるグループが１つに決まらない場合が生じてしまうので、図１０（ｃ）に示すように各エリアがお互いに重複しないエリアデータを用いるのが望ましい。
【０１２０】
図１０（ｃ）の例では、撮影位置ａ〜ｃに対応する撮影画像をグループ化すると同時にエリアＢのエリアデータと関連付けられている地域名ファイル６３０−１中の地域名を読み出してフォルダ名として決定する。また、撮影位置ｄ、ｅに対応する撮影画像をグループ化すると同時にエリアＣのエリアデータと関連付けられている地域名ファイル６３０−１中の地域名を読み出してフォルダ名として決定する。
なお、上記図１１（ｂ）のフローチャートを実行する場合は、図８のステップＳ７の処理が不要になる。
【０１２１】
また、上記図８のフローチャートにおいては、複数回の撮影処理によりフラッシュメモリ６にある程度の画像ファイルが蓄積されている状態で、図８に示した画像のグループ化処理及びグループ名決定処理を実行するようにしたが、撮影処理が実行される度に今回と前回の撮影画像の撮影位置間の距離を算出して前回の撮影画像が属するグループに今回の撮影画像を入れるか、新たなグループを生成するかを決定するようにし、新たなグループ（フォルダ）を生成するタイミングでフォルダ名を決定するようにしてもよい。また、グループ化処理動作を実行するタイミングは、所定のキー操作が行われたタイミング、電源オン／オフタイミング等が考えられる。また、図８のステップＳ１でグループ化済みと判断された画像が属している既存のグループに入れられる画像である場合は、新たなグループ画像管理フォルダ６１０や単独画像ファイル管理データを生成しないで既存のグループ画像管理フォルダ６１０に従属させる従属画像ファイル管理データを生成するだけでよい。
【０１２２】
また、上記図８のステップＳ８で、グループ画像管理フォルダ６１０のフォルダ名６１１として代表撮影位置に対応する場所名を記憶するように構成したがこれに限定されない。
【０１２３】
上記図８のフローチャートに示した動作により、ＧＰＳ受信部１のような撮影位置取得手段によって取得された撮影位置を撮影画像に関連付けて保存記憶するデジタルカメラで撮影済みの画像を、撮影位置を基準に自動的にグループ化すると共にグループ名及び代表撮影位置をグループに対応付けることができる。
【０１２４】
なお、上記実施例ではデジタルカメラ１００はフラッシュメモリ６に管理フォルダ、画像ファイル、場所名ファイル及び地図データを保存記憶し（図２）、記憶画像のグループ化処理動作及びグループ名決定処理動作を行うように構成した例を示したが、デジタルカメラ１００はフラッシュメモリ６に管理フォルダと画像ファイルを保存記憶し（つまり、場所名ファイル及び地図データを備えないようにし）、図８のステップＳ７のフォルダ名の決定やステップＳ８のグループ名の記憶を行わないようにしてもよい（つまり、グループ名をグループに関連付けないようにしてもよい）。
【０１２５】
このように構成することにより、デジタルカメラ側では地図データや場所名ファイルを記憶しないのでメモリの負荷がない。つまり、撮影画像の記憶数を制限したり、フラッシュメモリの容量をより大きくする必要がない。また、このように構成した場合は図１３に示すグループ代表撮影位置の表示動作は行わず、後述するパソコン等の撮影画像管理装置でグループ名の決定とグループ画像に対するグループ名の関連付けとグループ代表撮影位置の表示動作等を行なうように構成する。
【０１２６】
図１２はデジタルカメラ１００による地図上への撮影位置表示動作例を示すフローチャートである。また、図１３は地図上へのグループを代表する代表撮影位置表示の一実施例を示す図であり、図１４は地図上のグループ名（あるいは代表撮影位置）の選択により表示される同一グループ内の撮影画像（従属画像）の撮影位置の表示例を示す図である。
【０１２７】
ステップＴ１：（広域地図の選択等）
図１２で、制御部３は地図表示制御手段８１の実行制御を行ない、まず、所定の広域地図区分（例えば、関東地方、東北地方等、・・）を表示した地図選択メニュー（図示略）を表示部７に表示し、ユーザの選択を促す。また、この際、縮尺を表示部７の画面サイズに合わせた所定値に設定する。
【０１２８】
ステップＴ２：（広域地図の表示：地図表示制御手段）
次に、上記ステップＴ１でユーザがカーソルキー４４の操作により地図を選択すると、フラッシュメモリ６の地図データ領域６４から選択された地域区分の地図データを設定された縮尺で拡大または縮小して画面表示させる。
【０１２９】
ステップＴ３：（地図に含まれる撮影グループの特定：シンボル表示制御手段）
次に、画面表示されている地図の範囲内にあるグループ画像管理フォルダ６１０を代表撮影位置情報６１２に基づいて特定する。
【０１３０】
ステップＴ４：（グループ名及び代表撮影位置の重畳表示：グループ名表示制御手段、シンボル表示制御手段）
制御部３はグループ表示制御手段８２の実行制御を行い、上記ステップＴ３で特定された各グループ画像管理フォルダ６１０の代表撮影位置情報（経度、緯度）６１２を得て表示画面の座標値に変換して座標値で示される位置に代表撮影位置を示すシンボル「★」を図１３の表示例に示すように重畳表示すると共に、各グループ画像管理フォルダ６１０のフォルダ名６１１を画面上の所定の位置１０５に重畳表示する。なお、フォルダ名６１１を所定の位置１０５に表示しないで、代表撮影位置にシンボルとしてフォルダ名６１１を表示させるようにしてもよい。
【０１３１】
また、符号１０９は縮尺変更ボタンであり、＋（プラス）ボタンがカーソルキー４４によるポイント等により選択されるたびに縮尺が所定割合ずつ減少し（画面表示されている地図は拡大され、表示範囲が狭くなる）、−（マイナス）ボタンが選択されるたびに縮尺が所定割合ずつ増加する（画面表示されている地図は縮小され、表示範囲が広くなる）。
【０１３２】
ステップＴ５：(縮尺変更指示の有無判定）
次に、操作部４からの信号を調べて、ユーザが縮尺変更ボタンを選択・指定したか否かを判定し、縮尺変更ボタンを選択・指定された場合は所定割合ずつ縮尺を減少または増加させて設定しなおしてから、ステップＴ２に遷移する。
【０１３３】
ステップＴ６：（グループ選択の有無判定：シンボル選択手段）
制御部３はグループ内画像表示制御手段８３の実行制御を行い、操作部４からの信号を調べ、ユーザが上記ステップＴ４で表示したグループのいずれかをカーソルキー４４によるシンボル１０１〜１０３のポイント、あるいはフォルダ名（グループ名）１０５のポイント等により所望のシンボル（グループ）が選択されたか否かを判定し、選択された場合にはステップＴ７に遷移し、そうでない場合は表示処理を終了する。
【０１３４】
ステップＴ７：（選択されたグループ内の画像撮影位置を含む地図の表示：地図表示制御手段）
上記ステップＴ６で選択されたグループのグループ画像管理フォルダ６１０から従属ファイルポインタ６１３を取り出し、連鎖する画像ファイル管理データを順次サーチして同一グループ内の撮影画像の撮影位置情報（緯度、経度）６１５−１、６１５−２、・・（あるいは画像ファイル６２０内の撮影位置情報６２３）を取り出して、それらの撮影位置を含む地図データをフラッシュメモリ６から取り出して表示部７に送って地図表示させる。また、この際、グループ内の画像撮影位置を分かりやすくするためにグループ内の全ての画像撮影位置が含まれ、且つ表示範囲が狭くなるように縮尺を自動調節する。
【０１３５】
ステップＴ８：（選択されたグループ内の画像撮影位置の表示等：シンボル表示制御手段）
次に、選択されたグループのグループ名（フォルダ名）を表示画面の所定の位置に表示すると共に、上記ステップＴ７で取り出した同一グループ内の撮影画像の撮影位置情報（緯度、経度）６１５−１、６１５−２、・・を表示画面の座標値に変換して座標値で示される位置に撮影位置を示すシンボル「★」１１１〜１１３、１２１〜１２３、１３１〜１３３と、グループ名１１５、１２５、１３５を図１４（ａ）〜図１４（ｃ）の表示例に示すように地図上に重畳表示する。
【０１３６】
ステップＴ９：（個別画像の選択の有無判定）
次に、操作部４からの信号を調べ、ユーザが画面表示されているシンボル（撮影位置）をポイントしてその位置で撮影された撮影画像の表示を指示したか否かを調べ、画像表示を指示しなかった場合は表示処理を終了し、画像表示を指示した場合はステップＴ１０に遷移する。
【０１３７】
ステップＴ１０：（個別画像再生表示）
指定された撮影位置を記憶している画像ファイル管理データの画像ポインタ６１４を取り出してそのポインタに対応する画像ファイル６２から画像データ６２４を取り出し、伸張処理を行って表示部７に送出して画面表示させる。
【０１３８】
上記図１２のフローチャートに示した動作により、広域地図にグループ化された撮影画像のグループ名及び代表撮影位置のみを表示するので従来の撮影位置表示方法のように全ての撮影位置がシンボル表示されることがないのでシンボルが密集して表示されるといったことがなくなり見やすい。また、個々のグループを選択することによりグループ内の各撮影画像の撮影位置も表示できるので同一グループ内の撮影画像の撮影位置が分かりやすい。
【０１３９】
なお、前記図８のフローチャートではグループ範囲決定手段７１はグループ判別テーブルを作成し（ステップＳ２）、前画像との距離を算出し（ステップＳ３）、前画像との距離が閾値以上か否かを順次調べ、閾値以上の距離の画像から別グループとすることによりグループ範囲を決定する（ステップＳ４）ことにより、自動的にグループ化ができるように構成したが、これに限定されない。
【０１４０】
図１５は、手動によるグループ範囲指定の説明図である。
つまり、図１５（ａ）に示すように、選択された広域地図に含まれる撮影位置（但し、グループ化されていない画像の撮影位置）をシンボル（この例では、「★」印）表示し、ユーザがカーソルキー４４を操作して範囲２０１、２０２、２０３を指定することによりグループ範囲を決定するようにしてもよい。
【０１４１】
具体的には、図１５（ｂ）に示すように、図８のステップＳ２で「ＹＥＳ」と判断された後、先ず、ステップＵ１（地図表示制御手段）において、広域地図データをフラッシュメモリ６から読み出して表示部７に送って地図表示させる。
【０１４２】
そして、ステップＵ２（シンボル表示制御手段）において、ステップＳ１で読み出した各撮影画像の撮影位置（シンボル）を図１５（ａ）に示すように広域地図上に重畳表示させる。
【０１４３】
続くステップＵ３（撮影画像選択手段、範囲指定手段）で、ユーザにより操作部４のカーソルキー４４が操作され、例えば、範囲２０１が指定されると、ステップＵ４（グループ化手段）に遷移し、範囲２０１に含まれている撮影位置に対応する撮影画像をグループ化する。
【０１４４】
そして、ステップＵ５に遷移し、ユーザにより操作部４が操作され範囲指定モードの完了が指示された場合は図８のステップＳ５に遷移し、指示されない場合はステップＵ３に戻り、範囲２０２や範囲２０３のための範囲指定操作を継続する。
【０１４５】
なお、グループ化する撮影画像の選択方法は図１５（ａ）、図１５（ｂ）で説明したような方法に限定されず、単純に撮影画像を順次表示部７に表示させ、グループ化したい撮影画像を選択するようにしてもよい。
【０１４６】
また、上記図１〜図１５の説明ではデジタルカメラ等のように撮像手段を備えた撮影画像管理装置で撮影画像管理を行う場合について説明したが、本発明の撮影画像管理装置はデジタルカメラに限定されない。つまり、撮像手段を備えていない、パソコン、携帯電話、携帯情報端末等の撮影画像管理装置にも適用することができる。
【０１４７】
図１６はパソコンを撮影画像管理装置とした場合の説明図である。
図１６（ａ）で、電子カメラ１００’、１００”はＧＰＳ受信部のような撮影位置取得手段を備えており撮影画像を撮影位置情報（緯度、経度）と関連付けて保存記憶メモリに保存記憶する。
【０１４８】
パソコン３００は電子カメラ１００’、１００”に保存記憶されている撮影画像データを入力してハードディスク４００のような保存記憶メモリに保存記憶する。保存記憶メモリ４００には図１６（ｂ）に示すように管理フォルダ領域４１０、画像ファイル領域４２０、場所名ファイル領域４３０及び地図データ領域４４０が確保される。
【０１４９】
また、管理フォルダ領域４１０、画像ファイル領域４２０、場所名ファイル領域４３０及び地図データ領域４４０の意味は図２に示したフラッシュメモリ６の管理フォルダ領域６１、画像ファイル領域６２、場所名ファイル領域６３及び地図データ領域６４と同様の意味を有している。
【０１５０】
また、グループ画像管理フォルダ、画像ファイル管理データ、画像ファイル、場所名ファイル及び地図データの構成も図３〜図５に示した管理フォルダ６１、グループ管理フォルダ６１０、画像ファイル６２−１〜６２−ｎ、場所名ファイル６３及び地図データ６４と同様である。
【０１５１】
また、パソコン３００の撮影画像管理機能構成は、撮影画像分類機能のうちグループ範囲決定手段の機能以外の他の手段の機能は図６（ａ）のブロック図に示した各手段の機能と同様であり、グループ画像表示機能は図６（ｂ）に示した各手段の機能と同様である。なお、この際、ユーザによる地図の選択や範囲指定等はマウスの操作によって行う。
【０１５２】
また、パソコンへの撮影画像データの入力方法は、電子カメラ１００’のように画像データを有線又は無線（赤外線通信を含む）により送信し、パソコンで受信する方法であってもよいし、電子カメラ１００”のように着脱可能な保存記憶メモリ（メモリカード）１６をパソコンに装着して取り込む方法であってもよく、図示のように複数の電子カメラから撮影画像データの入力が可能である。
【０１５３】
図１７はパソコン３００による画像のグループ化処理動作例を示すフローチャートである。なお、パソコン３００によるグループ画像の表示動作は図１２のフローチャートに示したデジタルカメラ１００によるグループ画像の表示動作と同様である。
【０１５４】
ステップＶ１：（記憶画像の読出し）
制御部３はグループ範囲決定手段７１’（図６（ａ））の実行制御を行い、ハードディスク４００に保存記憶されている画像ファイル６２の画像番号（または格納アドレス）及び撮影位置情報（緯度、経度）を各画像の記憶順に読み出す。また、この際、各グループ画像管理フォルダ６１０に連鎖して記憶されている画像ファイル管理データの画像ポインタ６１４に対応する撮影画像はグループ化済みとして読み飛ばす。
【０１５５】
ステップＶ２：(各画像との距離算出）
上記ステップＶ１で読み出された各撮影画像の距離を撮影位置情報を基に算出し、画像ポインタ及び撮影位置情報の組と対応付けてメモリに保持し、ステップＶ１に遷移する。この動作を全ての撮影画像の読出しが終わるまで繰り返し、同一撮影日の全ての画像の読み出しが終わるとステップＶ３に遷移する。
【０１５６】
ステップＶ３：（グループ範囲の決定：グループ化手段）
次に、メモリに保持した各撮影画像間の距離が閾値内の撮影画像をそれぞれ同一グループとし、それぞれ同一グループと決定されたメモリに保持した画像ポインタ及び撮影位置にグループを識別するためのグループ番号を付ける。例えば、図７に示したグループ判別テーブル９０に示した例では、撮影順が４番目と７番目の画像の前画像との距離が１０Ｋｍ以上であるため、１〜３番目、４〜６番目及び７〜９番目の画像をそれぞれ同一グループとして決定する。
【０１５７】
ステップＶ４：（グループ内の画像数判定〜生成したフォルダの保存記憶）
以下、ステップＶ４の動作（グループ判別テーブルの作成〜生成されたフォルダの管理フォルダへの登録動作）は図８のフローチャートのＳ５〜Ｓ１３の動作と同様である。
上記図１７の構成により、デジタルカメラ等の撮像手段で撮影した記録画像をパソコン等の撮影画像管理装置でグループ化してフォルダ名を決定して管理することができる。
【０１５８】
また、図１５（ａ）に示したように地図上に撮影画像の撮影位置をシンボル表示し、ユーザがグループ範囲を指定してグループ範囲を決定し、グループ化を行うこともデジタルカメラの場合と同様にできる。
【０１５９】
また、パソコン等の撮影画像管理装置では、表示画面にフォルダ（フォルダ名含む）をアイコン表示し、ユーザがフォルダを指定すると指定したフォルダに含まれる撮影画像の画像ファイル名を表示することもできる。この場合、あるグループ画像管理フォルダに属する画像ファイル管理データを他のグループ画像管理フォルダに移動させることができる。つまり、あるグループ中のある画像ファイルを他のグループに移動（ファイルコピー)することができる。この場合、移動元のグループ画像管理フォルダでは移動した画像ファイル管理データの前後の従属ファイルポインタの付け替えが行われ、移動先のグループ画像管理フォルダでは移動してきた画像ファイル管理データが位置する前後の従属ファイルポインタの付け替えが行われる。
【０１６０】
なお、地図データ及び場所名ファイルを備えていない構成のデジタルカメラでは前述したように撮影画像をグループ化して管理フォルダを作成することはできるが、グループ名（フォルダ名）をグループに対応付けることができない。このような構成の場合でも、パソコンに撮影画像データと共に管理ファイルを取り込み、グループ画像管理フォルダに記憶された代表撮影位置情報（図３）を基にパソコン側で場所名ファイルから撮影場所の名称を取り出してグループに対応付けることができる。
【０１６１】
また、上記実施例では、撮影位置データである緯度経度データを場所名ファイルやエリア名ファイル等の変換テーブルを参照することにより場所（エリア）名データに変換し、これをグループ名としたが、グループに含まれるある１つの撮影画像の緯度経度データをそのままグループ名にしたり、あるいはグループに含まれる複数の撮影画像に対応する複数の緯度経度データに基づき得られた１つの緯度経度データをグループ名にするようにしてもよい。
【０１６２】
また、撮影画像データと緯度経度データとを対応付けて記憶するものに限定されず、例えば、撮影画像データに関連付けて、緯度経度データに基づき得られた撮影場所名データ（ファイル名）を撮影位置データとして記憶するものにも本発明を適用することができる。
【０１６３】
この場合、同一グループに含まれるある１つの撮影画像データに関連付けられている撮影場所名データ（ファイル名）をそのままグループ名として決定したり、あるいは同一グループに含まれる複数の撮影画像データに関連付けられている複数の撮影場所名データ（ファイル名）に基づき得られた１つの場所名データをグループ名として決定するようにしてもよい。
【０１６４】
また、上記実施例では、グループ名として決定したものをそのままグループ名（フォルダ名）として使用する場合について説明したが、例えば、決定したグループ名に撮影日時や番号等の他のデータを追加し、これをグループ名として決定するようにしてもよい。
【０１６５】
以上、本発明の幾つかの実施例について説明したが本発明は上記各実施例に限定されるものではなく、種々の変形実施が可能であることはいうまでもない。
【図面の簡単な説明】
【０１６６】
【図１】本発明の撮影画像管理装置の一実施例の構成を示すブロック図である。
【図２】フラッシュメモリの領域構成の一実施例を示す図である。
【図３】フラッシュメモリに格納されるファイルやテーブルのレコード構成の一実施例を示す図である。
【図４】画像ファイルの構成例を示す図である。
【図５】場所名ファイルの一実施例を示す図である。
【図６】デジタルカメラの撮影画像管理機能構成の要部を示す機能ブロック図である。
【図７】グループ化処理の際に一時記憶メモリに作成するグループ判別テーブルの一実施例を示す図である。
【図８】デジタルカメラ１００による画像のグループ化処理およびグループ名決定処理の動作例を示すフローチャートである。
【図９】グループ化処理の際に用いられる閾値の決定処理およびグループを代表する撮影位置の決定処理の動作例を示すフローチャートである。
【図１０】場所名ファイルの他の実施例であるエリア名ファイルを示す図である。
【図１１】エリア名ファイルを利用した場合における画像のグループ化処理およびグループ名決定処理の動作例を示すフローチャートである。
【図１２】デジタルカメラ１００によるグループ画像の表示動作例を示すフローチャートである。
【図１３】地図上へのグループを代表する撮影位置表示およびグループ名表示の一実施例を示す図である。
【図１４】地図上のグループ名の選択により表示される同一グループ内の撮影画像（従属画像）の撮影位置およびグループ名の表示例を示す図である。
【図１５】手動によるグループ範囲指定の説明図およびその動作例を示すフローチャートである。
【図１６】パーソナルコンピュータを撮影画像管理装置とした場合のシステム構成例の説明図である。
【図１７】パーソナルコンピュータによる画像のグループ化処理およびグループ名決定処理の動作例を示すフローチャートである。
【符号の説明】
【０１６７】
１  ＧＰＳ受信部（撮影位置取得手段）
２  撮像部（撮像手段）
３  制御部（グループ化手段、グループ名決定手段、グループ名表示制御手段、記憶制御手段、ファイル名決定手段、距離決定手段、地図表示制御手段、シンボル表示制御手段）
４  操作部（撮影画像選択手段、範囲指定手段、シンボル選択手段）
５  ＤＲＡＭ（一時記憶メモリ）
６  フラッシュメモリ（メモリ部、撮影画像記憶手段、名称記憶手段、地図記憶手段）
７  表示部（表示手段）
８  プログラム格納メモリ（グループ化手段、グループ名決定手段、グループ名表示制御手段、記憶制御手段、ファイル名決定手段、距離決定手段、地図表示制御手段、シンボル表示制御手段）
１６  メモリカード（撮影画像記憶手段、名称記憶手段、地図記憶手段）
４４  カーソルキー（撮影画像選択手段、範囲指定手段、シンボル選択手段）
７１  グループ範囲決定手段（グループ化手段）
７３  グループ画像管理フォルダ生成手段（グループ名決定手段）
８１  地図表示制御手段（地図表示制御手段）
８２  グループ表示制御手段（シンボル表示制御手段）
８３  グループ内画像位置表示制御手段（シンボル表示制御手段）
１００  デジタルカメラ（撮影画像管理装置）
１０１，１０２，１０３  画像グループのシンボル
１０５，１１５，１２５，１３５  グループ名（場所名）
１１１〜１１３、１２１〜１２３、１３１〜１３３  グループ内の各画像のシンボル
３００  パソコン（撮影画像管理装置）
４００  ハードディスク（メモリ部、撮影画像記憶手段、名称記憶手段、地図記憶手段）
【図１】
2005094810.tif 000003
【図２】
2005094810.tif 000004
【図３】
2005094810.tif 000005
【図４】
2005094810.tif 000006
【図５】
2005094810.tif 000007
【図６】
2005094810.tif 000008
【図７】
2005094810.tif 000009
【図８】
2005094810.tif 000010
【図９】
2005094810.tif 000011
【図１０】
2005094810.tif 000012
【図１１】
2005094810.tif 000013
【図１２】
2005094810.tif 000014
【図１３】
2005094810.tif 000015
【図１４】
2005094810.tif 000016
【図１５】
2005094810.tif 000017
【図１６】
2005094810.tif 000018
【図１７】
2005094810.tif 000019
【手続補正書】
【提出日】平成16年12月9日(2004.12.9)
【手続補正１】
【補正対象書類名】特許請求の範囲
【補正対象項目名】全文
【補正方法】変更
【補正の内容】
【特許請求の範囲】
【請求項１】
地図を記憶する地図記憶手段と、
この地図記憶手段に記憶されている地図を表示手段に表示する地図表示制御手段と、
複数の撮影画像データ及び撮影位置データをグループ化して記憶する撮影画像記憶手段と、
この撮影画像記憶手段に記憶されている同一グループ内の複数の撮影位置データのうちの少なくとも１つの撮影位置データに基づき決定した前記地図上の位置に該グループの代表シンボルを表示するシンボル表示制御手段と、
を備えたことを特徴とする撮影画像管理装置。
【請求項２】
前記撮影画像記憶手段は、前記撮影位置データ及び撮影画像データを撮影日時データと関連付けて記憶し、
前記シンボル表示制御手段は、同一グループ内の複数の撮影画像データのうち該撮影画像データと関連付けて記憶されている撮影日時データが最も早い撮影画像データに関連付けて記憶されている撮影位置データに基づき決定した前記地図上の位置に該グループの代表シンボルを表示することを特徴とする請求項１記載の撮影画像管理装置。
【請求項３】
前記シンボル表示制御手段は、同一グループ内の複数の撮影画像データと関連付けて記憶されている複数の撮影位置データを平均化することにより得られる平均撮影位置データに基づき決定した前記地図上の位置に該グループの代表シンボルを表示することを特徴とする請求項１記載の撮影画像管理装置。
【請求項４】
同一グループ内の複数の撮影画像データと関連付けて前記撮影画像記憶手段に記憶されている各撮影位置データのうちの少なくとも１つの撮影位置データに基づき、当該グループのグループ名を決定するグループ名決定手段を備え、
前記シンボル表示制御手段は、前記グループ名決定手段により決定されたグループ名を前記シンボルと共に地図上に表示する手段を含むことを特徴とする請求項１乃至３のいずれか１項に記載の撮影画像管理装置。
【請求項５】
前記シンボル表示制御手段により地図上に表示されているシンボルの中から所望のシンボルを選択するシンボル選択手段を備え、
前記シンボル表示制御手段は、前記シンボル選択手段により選択されたシンボルに対応するグループに含まれている各撮影画像データと関連付けて前記撮影画像記憶手段に記憶されている各撮影位置データにより特定される前記地図上の複数の位置にシンボルを表示する手段を含むことを特徴とする請求項１乃至４のいずれか１項に記載の撮影画像管理装置。
【請求項６】
地図を記憶する地図記憶手段と、
この地図記憶手段に記憶されている地図を表示手段に表示する地図表示制御手段と、
複数の撮影画像データ及び撮影位置データを複数のグループにグループ分けして記憶する撮影画像記憶手段と、
前記複数のグループの中から所望のグループを選択するグループ選択手段と、
このグループ選択手段により選択されたグループに含まれる複数の撮影画像データと関連付けて前記撮影画像記憶手段に記憶されている各撮影位置データにより特定される前記地図上の複数の位置にシンボルを表示するシンボル表示制御手段と、
を備えたことを特徴とする撮影画像管理装置。
【請求項７】
グループ化された複数の撮影画像データと関連付けて前記撮影画像記憶手段に記憶されている各撮影位置データのうちの少なくとも１つの撮影位置データに基づき、当該グループのグループ名を決定するグループ名決定手段を備え、
前記シンボル表示制御手段は、前記グループ名決定手段により決定されたグループ名を前記複数のシンボルと共に地図上に表示する手段を含むことを特徴とする請求項６記載の撮影画像管理装置。
【請求項８】
地図を記憶する地図記憶手段と、
この地図記憶手段に記憶されている地図を表示手段に表示する地図表示制御手段と、
撮影画像データ及び撮影位置データを関連付けて複数記憶する撮影画像記憶手段と、
この撮影画像記憶手段に記憶されている撮影位置データにより特定される前記地図上の位置にシンボルを表示するシンボル表示制御手段と、
前記地図表示制御手段により前記表示手段に表示されている地図上の所望範囲を手動指定可能な範囲指定手段と、
この範囲指定手段により指定された地図範囲に含まれている複数のシンボルに対応する複数の撮影位置データに関連付けて前記撮影画像記憶手段に記憶されている複数の撮影画像データをグループ化するグループ化手段と、
を備えたことを特徴とする撮影画像管理装置。
【請求項９】
前記グループ化手段によりグループ化された複数の撮影画像データと関連付けて前記撮影画像記憶手段に記憶されている各撮影位置データのうちの少なくとも１つの撮影位置データに基づき、当該グループのグループ名を決定するグループ名決定手段を備えたことを特徴とする請求項８記載の撮影画像管理装置。
【請求項１０】
被写体を撮像し撮影画像データを出力する撮像手段と、
この撮像手段から出力される撮影画像データの撮影位置を取得する撮影位置取得手段とを備え、
前記撮影画像記憶手段は、前記撮像手段から出力された撮影画像データ及び前記撮影位置取得手段により取得された撮影位置データを関連付けて記憶することを特徴とする請求項１乃至９のいずれか１項に記載の撮影画像管理装置。
【請求項１１】
複数の撮影画像データ及び撮影位置データをグループ化してメモリに記憶するステップと、地図を表示部に表示するステップと、前記メモリに記憶されている同一グループ内の複数の撮影位置データのうちの少なくとも１つの撮影位置データに基づき決定した前記地図上の位置に該グループの代表シンボルを表示するステップと、からなることを特徴とする撮影画像管理方法。
【請求項１２】
複数の撮影画像データ及び撮影位置データを複数のグループにグループ分けしてメモリに記憶するステップと、地図を表示部に表示するステップと、前記複数のグループの中から所望のグループを選択するステップと、前記選択されたグループに含まれる複数の撮影画像データと関連付けて前記メモリに記憶されている各撮影位置データにより特定される前記地図上の複数の位置にシンボルを表示するステップと、からなることを特徴とする撮影画像管理方法。
【請求項１３】
撮影画像データ及び撮影位置データを関連付けて複数メモリに記憶するステップと、地図を表示部に表示するステップと、前記メモリに記憶されている撮影位置データにより特定される前記地図上の位置にシンボルを表示するステップと、前記表示部に表示されている地図上の所望範囲を手動指定するステップと、手動指定された地図範囲に含まれている複数のシンボルに対応する複数の撮影位置データに関連付けて前記メモリに記憶されている複数の撮影画像データをグループ化するステップと、からなることを特徴とする撮影画像管理方法。
【請求項１４】
複数の撮影画像データ及び撮影位置データをグループ化してメモリに記憶するステップと、地図を表示部に表示するステップと、前記メモリに記憶されている同一グループ内の複数の撮影位置データのうちの少なくとも１つの撮影位置データに基づき決定した前記地図上の位置に該グループの代表シンボルを表示するステップとを撮影画像管理装置に対して実行可能とすることを特徴とする撮影画像管理プログラム。
【請求項１５】
複数の撮影画像データ及び撮影位置データを複数のグループにグループ分けしてメモリに記憶するステップと、地図を表示部に表示するステップと、前記複数のグループの中から所望のグループを選択するステップと、前記選択されたグループに含まれる複数の撮影画像データと関連付けて前記メモリに記憶されている各撮影位置データにより特定される前記地図上の複数の位置にシンボルを表示するステップとを撮影画像管理装置に対して実行可能とすることを特徴とする撮影画像管理プログラム。
【請求項１６】
撮影画像データ及び撮影位置データを関連付けて複数メモリに記憶するステップと、地図を表示部に表示するステップと、前記メモリに記憶されている撮影位置データにより特定される前記地図上の位置にシンボルを表示するステップと、前記表示部に表示されている地図上の所望範囲を手動指定するステップと、手動指定された地図範囲に含まれている複数のシンボルに対応する複数の撮影位置データに関連付けて前記メモリに記憶されている複数の撮像画像データをグループ化するステップとを撮影画像管理装置に対して実行可能とすることを特徴とする撮影画像管理プログラム。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
上記課題を解決するために、第１の発明の撮影画像管理装置は、地図を記憶する地図記憶手段と、この地図記憶手段に記憶されている地図を表示手段に表示する地図表示制御手段と、複数の撮影画像データ及び撮影位置データをグループ化して記憶する撮影画像記憶手段と、この撮影画像記憶手段に記憶されている同一グループ内の複数の撮影位置データのうちの少なくとも１つの撮影位置データに基づき決定した地図上の位置に該グループの代表シンボルを表示するシンボル表示制御手段と、を備えたことを特徴とする。
【手続補正２１】
【補正対象書類名】明細書
【補正対象項目名】００２５
【補正方法】変更
【補正の内容】
【００２５】
また、第２の発明は上記第１の発明の撮影画像管理装置において、撮影画像記憶手段は、撮影位置データ及び撮影画像データを撮影日時データと関連付けて記憶し、シンボル表示制御手段は、同一グループ内の複数の撮影画像データのうち該撮影画像データと関連付けて記憶されている撮影日時データが最も早い撮影画像データに関連付けて記憶されている撮影位置データに基づき決定した地図上の位置に該グループの代表シンボルを表示することを特徴とする。
【手続補正２２】
【補正対象書類名】明細書
【補正対象項目名】００２６
【補正方法】変更
【補正の内容】
【００２６】
また、第３の発明は上記第１の発明の撮影画像管理装置において、シンボル表示制御手段は、同一グループ内の複数の撮影画像データと関連付けて記憶されている複数の撮影位置データを平均化することにより得られる平均撮影位置データに基づき決定した地図上の位置に該グループの代表シンボルを表示することを特徴とする。
【手続補正２３】
【補正対象書類名】明細書
【補正対象項目名】００２７
【補正方法】変更
【補正の内容】
【００２７】
また、第４の発明は上記第１乃至第３のいずれかの発明の撮影画像管理装置において、同一グループ内の複数の撮影画像データと関連付けて撮影画像記憶手段に記憶されている各撮影位置データのうちの少なくとも１つの撮影位置データに基づき、当該グループのグループ名を決定するグループ名決定手段を備え、シンボル表示制御手段は、グループ名決定手段により決定されたグループ名をシンボルと共に地図上に表示する手段を含むことを特徴とする。
【手続補正２４】
【補正対象書類名】明細書
【補正対象項目名】００２８
【補正方法】変更
【補正の内容】
【００２８】
また、第５の発明は上記第１乃至第４のいずれかの発明の撮影画像管理装置において、シンボル表示制御手段により地図上に表示されているシンボルの中から所望のシンボルを選択するシンボル選択手段を備え、シンボル表示制御手段は、シンボル選択手段により選択されたシンボルに対応するグループに含まれている各撮影画像データと関連付けて撮影画像記憶手段に記憶されている各撮影位置データにより特定される地図上の複数の位置にシンボルを表示する手段を含むことを特徴とする。
【手続補正２５】
【補正対象書類名】明細書
【補正対象項目名】００２９
【補正方法】変更
【補正の内容】
【００２９】
また、第６の発明の撮影画像管理装置は、地図を記憶する地図記憶手段と、この地図記憶手段に記憶されている地図を表示手段に表示する地図表示制御手段と、複数の撮影画像データ及び撮影位置データを複数のグループにグループ分けして記憶する撮影画像記憶手段と、複数のグループの中から所望のグループを選択するグループ選択手段と、このグループ選択手段により選択されたグループに含まれる複数の撮影画像データと関連付けて撮影画像記憶手段に記憶されている各撮影位置データにより特定される地図上の複数の位置にシンボルを表示するシンボル表示制御手段と、を備えたことを特徴とする。
【手続補正２６】
【補正対象書類名】明細書
【補正対象項目名】００３０
【補正方法】変更
【補正の内容】
【００３０】
また、第７の発明は上記第６の発明の撮影画像管理装置において、グループ化された複数の撮影画像データと関連付けて撮影画像記憶手段に記憶されている各撮影位置データのうちの少なくとも１つの撮影位置データに基づき、当該グループのグループ名を決定するグループ名決定手段を備え、シンボル表示制御手段は、グループ名決定手段により決定されたグループ名を複数のシンボルと共に地図上に表示する手段を含むことを特徴とする。
【手続補正２７】
【補正対象書類名】明細書
【補正対象項目名】００３１
【補正方法】変更
【補正の内容】
【００３１】
また、第８の発明の撮影画像管理装置は、地図を記憶する地図記憶手段と、この地図記憶手段に記憶されている地図を表示手段に表示する地図表示制御手段と、撮影画像データ及び撮影位置データを関連付けて複数記憶する撮影画像記憶手段と、この撮影画像記憶手段に記憶されている撮影位置データにより特定される前記地図上の位置にシンボルを表示するシンボル表示制御手段と、地図表示制御手段により表示手段に表示されている地図上の所望範囲を手動指定可能な範囲指定手段と、この範囲指定手段により指定された地図範囲に含まれている複数のシンボルに対応する複数の撮影位置データに関連付けて撮影画像記憶手段に記憶されている複数の撮影画像データをグループ化するグループ化手段と、を備えたことを特徴とする。
【手続補正２８】
【補正対象書類名】明細書
【補正対象項目名】００３２
【補正方法】変更
【補正の内容】
【００３２】
また、第９の発明は上記第８の発明の撮影画像管理装置において、グループ化手段によりグループ化された複数の撮影画像データと関連付けて撮影画像記憶手段に記憶されている各撮影位置データのうちの少なくとも１つの撮影位置データに基づき、当該グループのグループ名を決定するグループ名決定手段を備えたことを特徴とする。
また、第１０の発明は上記第１乃至第９のいずれかの発明の撮影画像管理装置において、被写体を撮像し撮影画像データを出力する撮像手段と、この撮像手段から出力される撮影画像データの撮影位置を取得する撮影位置取得手段とを備え、撮影画像記憶手段は、撮像手段から出力された撮影画像データ及び撮影位置取得手段により取得された撮影位置データを関連付けて記憶することを特徴とする。
【手続補正２９】
【補正対象書類名】明細書
【補正対象項目名】００３３
【補正方法】変更
【補正の内容】
【００３３】
また、第１１の発明の撮影画像管理方法は、複数の撮影画像データ及び撮影位置データをグループ化してメモリに記憶するステップと、地図を表示部に表示するステップと、メモリに記憶されている同一グループ内の複数の撮影位置データのうちの少なくとも１つの撮影位置データに基づき決定した地図上の位置に該グループの代表シンボルを表示するステップと、からなることを特徴とする。
【手続補正３０】
【補正対象書類名】明細書
【補正対象項目名】００３４
【補正方法】変更
【補正の内容】
【００３４】
また、第１２の発明の撮影画像管理方法は、複数の撮影画像データ及び撮影位置データを複数のグループにグループ分けしてメモリに記憶するステップと、地図を表示部に表示するステップと、複数のグループの中から所望のグループを選択するステップと、選択されたグループに含まれる複数の撮影画像データと関連付けてメモリに記憶されている各撮影位置データにより特定される地図上の複数の位置にシンボルを表示するステップと、からなることを特徴とする。
【手続補正３１】
【補正対象書類名】明細書
【補正対象項目名】００３５
【補正方法】変更
【補正の内容】
【００３５】
また、第１３の発明の撮影画像管理方法は、撮影画像データ及び撮影位置データを関連付けて複数メモリに記憶するステップと、地図を表示部に表示するステップと、メモリに記憶されている撮影位置データにより特定される地図上の位置にシンボルを表示するステップと、表示部に表示されている地図上の所望範囲を手動指定するステップと、手動指定された地図範囲に含まれている複数のシンボルに対応する複数の撮影位置データに関連付けてメモリに記憶されている複数の撮影画像データをグループ化するステップと、からなることを特徴とする。
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】変更
【補正の内容】
【００３７】
また、第１４の発明の撮影画像管理プログラムは、複数の撮影画像データ及び撮影位置データをグループ化してメモリに記憶するステップと、地図を表示部に表示するステップと、メモリに記憶されている同一グループ内の複数の撮影位置データのうちの少なくとも１つの撮影位置データに基づき決定した地図上の位置に該グループの代表シンボルを表示するステップとを撮影画像管理装置に対して実行可能とすることを特徴とする。
【手続補正３４】
【補正対象書類名】明細書
【補正対象項目名】００３８
【補正方法】変更
【補正の内容】
【００３８】
また、第１５の発明の撮影画像管理プログラムは、複数の撮影画像データ及び撮影位置データを複数のグループにグループ分けしてメモリに記憶するステップと、地図を表示部に表示するステップと、複数のグループの中から所望のグループを選択するステップと、選択されたグループに含まれる複数の撮影画像データと関連付けてメモリに記憶されている各撮影位置データにより特定される地図上の複数の位置にシンボルを表示するステップとを撮影画像管理装置に対して実行可能とすることを特徴とする。
【手続補正３５】
【補正対象書類名】明細書
【補正対象項目名】００３９
【補正方法】変更
【補正の内容】
【００３９】
また、第１６の発明の撮影画像管理プログラムは、撮影画像データ及び撮影位置データを関連付けて複数メモリに記憶するステップと、地図を表示部に表示するステップと、メモリに記憶されている撮影位置データにより特定される地図上の位置にシンボルを表示するステップと、表示部に表示されている地図上の所望範囲を手動指定するステップと、手動指定された地図範囲に含まれている複数のシンボルに対応する複数の撮影位置データに関連付けてメモリに記憶されている複数の撮像画像データをグループ化するステップとを撮影画像管理装置に対して実行可能とすることを特徴とする。
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】変更
【補正の内容】
【００５８】
以上説明したように、第１の発明の撮影画像管理装置、第１１の発明の撮影画像管理方法及び第１４の発明の撮影画像管理プログラムによれば、地図上にグループの代表位置を示すシンボルのみを表示するので、同一グループ内の各撮影位置を示す複数のシンボルが密集して表示されることによる視認性の悪化を防止することができる。
【手続補正５５】
【補正対象書類名】明細書
【補正対象項目名】００５９
【補正方法】変更
【補正の内容】
【００５９】
また、第２の発明の撮影画像管理装置によれば、同一グループ内で撮影日時が最も早い撮影画像の撮影位置を示すシンボルを地図上に表示するので、通常、一番印象に残っている最初の撮影位置をグループの代表位置として地図上にシンボル表示することができる。
【手続補正５６】
【補正対象書類名】明細書
【補正対象項目名】００６０
【補正方法】変更
【補正の内容】
【００６０】
また、第３の発明の撮影画像管理装置によれば、同一グループ内の複数の撮影位置を平均化した平均撮影位置を示すシンボルを地図上に表示するので、同一グループ地域の中心位置をグループの代表位置として地図上にシンボル表示することができる。
【手続補正５７】
【補正対象書類名】明細書
【補正対象項目名】００６１
【補正方法】変更
【補正の内容】
【００６１】
また、第４の発明の撮影画像管理装置によれば、地図上にシンボルと共にグループ名を表示するので、地図上に表示されているシンボルがどのグループのものであるかを容易に知ることができる。
【手続補正５８】
【補正対象書類名】明細書
【補正対象項目名】００６２
【補正方法】変更
【補正の内容】
【００６２】
また、第５の発明の撮影画像管理装置によれば、地図上の所望のシンボルを選択するとそのグループに含まれている各撮影位置を示す複数のシンボルを表示するので、地図上での撮影位置を示すシンボルの選択操作を容易にすることができ、結果として、ユーザーが所望する撮影画像を迅速に再生することが可能になる。
【手続補正５９】
【補正対象書類名】明細書
【補正対象項目名】００６３
【補正方法】変更
【補正の内容】
【００６３】
また、第６の発明の撮影画像管理装置、第１２の発明の撮影画像管理方法及び第１５の発明の撮影画像管理プログラムによれば、ある一つのグループに含まれている各撮影位置を示す複数のシンボルのみを地図上に表示するので、複数のグループ内の各撮影位置を示す複数のシンボルが表示されることによる視認性の悪化を防止することができ、結果として、地図上での撮影位置を示すシンボルの選択操作を容易にすることができる。
【手続補正６０】
【補正対象書類名】明細書
【補正対象項目名】００６４
【補正方法】変更
【補正の内容】
【００６４】
また、第７の発明の撮影画像管理装置によれば、地図上に複数のシンボルと共にグループ名を表示するので、地図上に表示されている複数のシンボルがどのグループのものであるかを容易に知ることができる。
【手続補正６１】
【補正対象書類名】明細書
【補正対象項目名】００６５
【補正方法】変更
【補正の内容】
【００６５】
また、第８の発明の撮影画像管理装置、第１３の発明の撮影画像管理方法及び第１６の発明の撮影画像管理プログラムによれば、地図上のシンボルを視認しながら所望範囲を手動指定することにより指定範囲に含まれている撮影位置に対応する撮影画像をグループ化するので、グループ化する撮影画像の手動選択操作を容易にすることができる。
また、第９の発明の撮影画像管理装置によれば、グループ化した各撮影画像の撮影位置のうち少なくとも一つの撮影位置データに基いてグループ名を自動的に決定するので、グループ名を手入力する手間がかからない。
また、第１０の発明の撮影画像管理装置によれば、撮像手段から出力された撮影画像データと撮影位置取得手段により取得された撮影位置データとを関連付けて記憶するので、デジタルカメラのみを用いて撮影画像データをグループ化し、グループ名を自動的に決定することができる。